(57)【特許請求の範囲】
【請求項１】
ユーザ端末（ｕｓｅｒ  ｅｑｕｉｐｍｅｎｔ、ＵＥ）が複数のセルを含むネットワークと通信する方法において、上記方法は、
セルの第１グループ及びセルの第２グループに対する構成を前記ネットワークから前記ＵＥによって受信する過程と、
伝送時間間隔（ｔｒａｎｓｍｉｓｓｉｏｎ  ｔｉｍｅ  ｉｎｔｅｒｖａｌ、ＴＴＩ）で前記セルの第１グループ及び前記セルの第２グループで前記ＵＥから伝送する過程と、を含み、
前記セルの第１グループと前記セルの第２グループ間の通信遅延が値より大きい場合、前記ＵＥは前記セルの第１グループで伝送のための最大電力の第１百分率及び前記セルの第２グループで伝送のための最大電力の第２百分率を前記ＴＴＩで予約するように前記ネットワークによって構成され、
前記セルの第１グループと前記セルの第２グループ間の通信遅延が前記値より小さい又は同じ場合、前記ＵＥは前記セルの第１グループ及び前記セルの第２グループで伝送のための電力をＴＴＩで予約するように構成されないものとし、
前記通信遅延は前記値より小さい又は同じで、前記ＵＥが前記ＴＴＩで物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を伝送する場合、前記ＵＥは前記ＰＲＡＣＨの伝送に対する電力割り当てを優先し、前記ＴＴＩでの伝送のための最大電力と前記ＴＴＩでの前記ＰＲＡＣＨの伝送のための電力間の差で前記ＴＴＩでの他の伝送のための最大電力を調整する
ことを特徴とする方法。
【請求項２】
前記ＵＥは、
第１電力制御プロセスに従って前記ＴＴＩで前記セルの第１グループの第１セルに第１制御情報を有する第１チャネルを伝送するための第１電力を決定する過程と、
第２電力制御プロセスに従って前記ＴＴＩで前記セルの第２グループの第２セルに第２制御情報を有する第２チャネルを伝送するための第２電力を決定する過程と、
前記ＴＴＩで前記第１電力及び前記第２電力の合計が前記最大電力より大きいかを決定する過程と、
前記ＴＴＩで前記第１電力及び第３電力の合計が前記最大電力より小さい又は同じで前記第２電力より小さい、前記第２チャネルを伝送するための前記第３電力を決定する過程と、
前記第２電力と前記第３電力の差がしきい値より小さい又は同じ場合、前記第１電力で前記第１チャネルを伝送し前記第３電力で前記第２チャネルを伝送する過程と、
前記第２電力と前記第３電力の差が前記しきい値より大きい場合、前記第１電力で前記第１チャネルを伝送し前記第２チャネルの伝送を一時中断する過程と、をさらに含む請求項１に記載の方法。
【請求項３】
前記ＵＥは、前記ＴＴＩでデータ情報を含み制御情報を含まない全てのチャネルに対する伝送を一時中断し、前記ＴＴＩで全てのサウンディング基準信号に対する伝送を一時中断する過程をさらに含む請求項２に記載の方法。
【請求項４】
前記ＵＥは
第１電力制御プロセスに従って前記ＴＴＩで前記セルの第１グループの第１セルに第１制御情報を有する第１チャネルを伝送するための第１電力を決定する過程と、
第２電力制御プロセスに従って前記ＴＴＩで前記セルの第２グループの第２セルに第２制御情報を有する第２チャネルを伝送するための第２電力を決定する過程と、
前記ＴＴＩで前記第１電力及び前記第２電力の合計が前記最大電力より大きいかを決定する過程と、
前記ＴＴＩで前記第１電力及び第３電力の合計が最大電力より小さい又は同じで前記第２電力より小さい、前記第２チャネルを伝送するための前記第３電力を決定する過程と、
前記第２制御情報に対するコードワードが巡回冗長検査ビットを含む場合、前記第１電力で前記第１チャネルを伝送し前記第３電力で前記第２チャネルを伝送する過程と、
前記第２制御情報に対する前記コードワードが巡回冗長検査ビットを含まない場合、前記第１電力で前記第１チャネルを伝送し前記第２チャネルの伝送を一時中断する過程と、をさらに含む請求項１に記載の方法。
【請求項５】
前記ＵＥは前記ＴＴＩでデータ情報を含み制御情報を含まない全てのチャネルに対する伝送を一時中断し、前記ＴＴＩで全てのサウンディング基準信号に対する伝送を一時中断する過程をさらに含む請求項４に記載の方法。
【請求項６】
コンピュータユニットを含むユーザ端末（ＵＥ）であって、前記コンピュータユニットは、請求項１項乃至５のうち何れか一項に記載の方法を作業するためにさらに配置されるＵＥ。
【発明の詳細な説明】
【技術分野】
【０００１】
本発明は、一般に無線通信に関し、より具体的には、キャリアアグリゲーションの運用におけるアップリンク制御情報の伝送に関する。
【背景技術】
【０００２】
無線通信は、現代歴史で最も成功した革新の１つとなった。最近では、無線通信サービスの加入者数が５００万人を突破し、急速に成長し続けている。スマートフォン、及びタブレット、「ノートパッド」コンピュータ、ネットブック、電子ブックリーダ、及び機械類型の装置のような他のモバイルデータ装置の事業体と消費者の間で人気が高まりつつあるため、無線データトラフィックの需要は急激に増加している。モバイルデータトラフィックの高い成長を満足させ、新しいアプリケーション及び運用をサポートするためには無線インタフェース効率及びカバレッジ改善が最も重要である。
【発明の概要】
【発明が解決しようとする課題】
【０００３】
本開示は、キャリアアグリゲーションの運用におけるユーザ端末（ｕｓｅｒ  ｅｑｕｉｐｍｅｎｔ、ＵＥ）からのアップリンク制御情報の伝送をサポートする装置及び方法を提供する。
【課題を解決するための手段】
【０００４】
第１実施例で、方法が提供される。上記方法は、セルの第１グループ構成及びセルの第２グループに対する構成を複数のセルを含むネットワークからユーザ端末（ＵＥ）によって受信するステップを含む。また、上記方法は、伝送時間間隔（ＴＴＩ）でセルの第１グループ及びセルの第２グループにＵＥから伝送するステップを含む。セルの第１グループとセルの第２グループ間の通信遅延が値より大きい場合、ＵＥはセルの第１グループに対する伝送のための最大電力の第１百分率及びセルの第２グループに対する伝送のための最大電力の第２百分率をＴＴＩで予約するようにネットワークによって構成される。セルの第１グループとセルの第２グループ間の通信遅延が値より小さい又は同じ場合、ＵＥはセルの第１グループ又はセルの第２グループに対する伝送のための電力をＴＴＩで予約するように構成されない。
【０００５】
第２実施例で、方法が提供される。上記方法は、セルの第１グループ及びセルの第２グループに対する構成、及びＴＰＣ−ＰＵＣＣＨ−ＲＮＴＩビット、ＴＰＣ−ＰＵＣＣＨ−ＲＮＴＩビットでスクランブルされる巡回冗長検査（ＣＲＣ）ビットを含むダウンリンク制御情報（ＤＣＩ）フォーマットでの伝送電力制御（ＴＰＣ）ビットの第１位置及びＴＰＣビットの第２位置に対する構成を複数のセルを含むネットワークからユーザ端末（ＵＥ）によって受信するステップを含む。また、上記方法は、セルの第１グループから予め決定されたセルでＴＰＣ−ＰＵＣＣＨ−ＲＮＴＩビットによってスクランブルされたＣＲＣビットを有するＤＣＩフォーマットをＵＥによって検出するステップを含む。また、上記方法は、ＤＣＩフォーマットでの第１位置でＴＰＣビットによって決定された電力調整を使用してセルの第１グループの第１セルに第１物理アップリンク制御チャネル（ＰＵＣＣＨ）を、又はＤＣＩフォーマットでの第２位置でＴＰＣビットによって決定された電力調整を使用してセルの第２グループの第２セルに第２ＰＵＣＣＨをＵＥによって伝送するステップを含む。
【０００６】
第３実施例で、ユーザ端末（ＵＥ）が提供される。ＵＥは受信機及び送信機を含む。受信機はセルの第１グループ及びセルの第２グループに対する構成を受信するように構成される。送信機は伝送時間間隔（ＴＴＩ）でセルの第１グループ及びセルの第２グループに伝送するように構成される。セルの第１グループとセルの第２グループ間の通信遅延が値より大きい場合、ＵＥはセルの第１グループに対する伝送のための最大電力の第１百分率及びセルの第２グループに対する伝送のための最大電力の第２百分率をＴＴＩで予約するようにネットワークによって構成される。セルの第１グループとセルの第２グループ間の通信遅延が値より小さい又は同じ場合、ＵＥはセルの第１グループ又はセルの第２グループに対する伝送のための電力をＴＴＩで予約しない。
【０００７】
第４実施例で、ユーザ端末（ＵＥ）は、受信機、検出器、及び送信機を含む。受信機は、セルの第１グループ及びセルの第２グループに対する構成、及びＴＰＣ−ＰＵＣＣＨ−ＲＮＴＩビット、ＴＰＣ−ＰＵＣＣＨ−ＲＮＴＩビットでスクランブルされる巡回冗長検査（ＣＲＣ）ビットを含むダウンリンク制御情報（ＤＣＩ）フォーマットでの伝送電力制御（ＴＰＣ）ビットの第１位置、及びＴＰＣビットの第２位置に対する構成を受信するように構成される。検出器は、セルの第１グループから予め決定されたセルでＴＰＣ−ＰＵＣＣＨ−ＲＮＴＩビットによってスクランブルされたＣＲＣビットを有するＤＣＩフォーマットを検出するように構成される。送信機は、ＤＣＩフォーマットでの第１位置でＴＰＣビットによって決定された電力調整を使用してセルの第１グループの第１セルに第１物理アップリンク制御チャネル（ＰＵＣＣＨ）を、又はＤＣＩフォーマットでの第２位置でＴＰＣビットによって決定された電力調整を使用してセルの第２グループの第２セルに第２ＰＵＣＣＨを伝送するように構成される。
【０００８】
以下の詳細な説明に取りかかる前に、本特許文献全般にわたって使用される特定の単語及び構文の定義を規定することが有利であり得る。用語「カップル」及びその派生語は互いに物理的に接触しているか否かに関わらず２つ以上の要素間の直接又は間接通信を意味する。用語「伝送する」、「受信する」、「通信する」及びこれらの派生語は直接及び間接通信のいずれかをも含む。用語「含む（ｉｎｃｌｕｄｅ）」、「含む（ｃｏｍｐｒｉｓｅ）」及びこれらの派生語は制限なく含むことを意味する。用語「又は」は「及び／又は」の意味を含む。構文「〜と関連づけられた」及びその派生語は含む、〜内に含まれる、〜と相互連結する、含む、〜内に含まれる、〜と又は〜に連結する、〜と又は〜に結合する、〜と通信できる、〜と協力する、インタリーブする、並べる、〜に隣接する、〜に又は〜とバインドする、持つ、〜の属性がある、〜に又は〜と関係があるなどを意味する。用語「制御器」は、少なくとも１つの動作を制御するあらゆる装置、システム又はそれらの一部を意味する。かかる制御器は、ハードウェア、又はハードウェアとソフトウェア及び／又はファームウェアの組み合わせで具現され得る。あらゆる特定の制御器と関連づけられた機能は、局部的であろうと遠隔であろうと中央集中化または分散されることができる。項目のリストと共に使用される場合、「〜の少なくとも１つ」という構文は、並べられた項目のうち１つ以上の互いに異なる組み合わせが使用される場合もあり、リストで１つの項目のみが要求される場合もあることを意味する。例えば、「Ａ、Ｂ及びＣのうち少なくとも１つ」は次の組み合わせ、すなわち、Ａ、Ｂ、Ｃ、ＡとＢ、ＡとＣ、ＢとＣ、及びＡとＢとＣのうちいずれか１つを含む。
【０００９】
また、後述される多様な機能は、コンピュータ読み取り可能なプログラムコードから形成されてコンピュータ読み取り可能な媒体に内蔵される１つ以上のコンピュータプログラムによって具現又はサポートされることができる。用語「アプリケーション」及び「プログラム」は、適したコンピュータ読み取り可能なプログラムコードで具現するために構成された１つ以上のコンピュータプログラム、ソフトウェア構成要素、指示の集合、手順、関数、オブジェクト、クラス、インスタンス、関連データ、又はそれらの一部を意味する。構文「コンピュータ読み取り可能なプログラムコード」は、ソースコード、オブジェクトコード及び実行可能なコードを含むあらゆる類型のコンピュータコードを含む。構文「コンピュータ読み取り可能な媒体」は、読み取り専用メモリ（ＲＯＭ）、ランダムアクセスメモリ（ＲＡＭ）、ハードディスクドライブ、コンパクトディスク（ＣＤ）、デジタルビデオディスク（ＤＶＤ）、又は他の類型のメモリのようにコンピュータによってアクセスされることができるあらゆる類型の媒体を含む。「非一時的」コンピュータ読み取り可能な媒体は、有線、無線、光、又は一時的な電気又は他の信号を伝送する他の無線リンクを除く。非一時的コンピュータ読み取り可能な媒体は、データが永続的に保存されることができる媒体及び再起録が可能な光ディスク又は消去可能なメモリ装置のようにデータが保存され、後で上書き可能な媒体を含む。
【００１０】
他の特定の単語及び構文に対する定義は、本特許文献全般にわたって提供される。当業者は大部分ではないが多くの場合にこのような定義がこのような定義された単語及び構文の以前だけでなく未来の使用にも適用されることを理解するべきである。
【図面の簡単な説明】
【００１１】
本開示及びその長所のより完全な理解のために、類似の符号が類似の部品を示す添付図面を参照して与えられる次の説明を参照する。
【図１】本開示による例示的な無線通信ネットワークを示す図である。
【図２】本開示による例示的なユーザ端末（ｕｓｅｒ  ｅｑｕｉｐｍｅｎｔ、ＵＥ）を示す図である。
【図３】本開示による例示的なｅＮＢ（ｅｎｈａｎｃｅｄ  ＮｏｄｅＢ）を示す図である。
【図４】本開示によるダウンリンク制御情報（Ｄｏｗｎｌｉｎｋ  Ｃｏｎｔｒｏｌ  Ｉｎｆｏｒｍａｔｉｏｎ、ＤＣＩ）フォーマットに対する例示的なエンコードプロセスを示す図である。
【図５】本開示によるＤＣＩフォーマットに対する例示的なデコードプロセスを示す図である。
【図６】本開示による物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）伝送又は物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）伝送のための例示的なアップリンク（Ｕｐｌｉｎｋ、ＵＬ）サブフレーム（Ｓｕｂ−Ｆｒａｍｅ、ＳＦ）構造を示す図である。
【図７】本開示による例示的なＰＵＳＣＨ送信機を示す図である。
【図８】本開示による例示的なＰＵＳＣＨ受信機を示す図である。
【図９】本開示による、ＵＥがプライマリセル（Ｐｒｉｍａｒｙ  Ｃｅｌｌ、ＰＣｅｌｌ）上でＰＵＣＣＨ伝送、プライマリ―セカンダリセル（Ｐｒｉｍａｒｙ−Ｓｅｃｏｎｄａｒｙ  Ｃｅｌｌ、ＰＳＣｅｌｌ）上でＰＵＣＣＨ伝送、ＵＣＩを含まないＰＵＳＣＨ伝送を有し、ＵＥに対する全体公称（ｎｏｍｉｎａｌ）伝送電力がＳＦでの最大伝送電力を超える場合のＳＦでのＵＥによる電力割り当てを示す図である。
【図１０】本開示による、ＵＥがＰＵＣＣＨ伝送、ＵＣＩを含むＰＵＳＣＨ伝送、他のＰＵＳＣＨ伝送を有し、ＵＣＩを含むＰＵＳＣＨ伝送のための公称電力とＰＵＣＣＨ伝送のための公称電力の合計がＳＦでの最大伝送電力を超える場合のＳＦでのＵＥによる例示的な電力割り当てを示す図である。
【図１１】本開示による、ＵＥがＵＣＩを含む第１ＰＵＳＣＨ伝送、ＵＣＩを含む第２ＰＵＳＣＨ伝送、他のＰＵＳＣＨ伝送を有し、第１ＰＵＳＣＨ伝送のための公称電力と第２ＰＵＳＣＨ伝送のための公称電力の合計がＳＦでの最大伝送電力を超える場合のＳＦでのＵＥによる例示的な電力割り当てを示す図である。
【図１２】本開示による、ＰＳＣｅｌｌに対するＰＵＣＣＨ伝送のための電力及びＰＣｅｌｌに対するＰＵＣＣＨ伝送のための電力の決定のためのＤＣＩフォーマット３／３Ａでの伝送電力制御（Ｔｒａｎｓｍｉｓｓｉｏｎ  Ｐｏｗｅｒ  Ｃｏｎｔｒｏｌ、ＴＰＣ）命令のＵＥによる使用を示す図である。
【図１３】本開示による、ＨＡＲＱ−ＡＣＫ（Ｈｙｂｒｉｄ  ＡｕｔｏｍａｔｉｃＲｅｐｅａｔ  Ｒｅｑｕｅｓｔ−Ａｃｋｎｏｗｌｅｄｇｍｅｎｔ）情報が単にマスターセルグループ（Ｍａｓｔｅｒ  Ｃｅｌｌ  Ｇｒｏｕｐ、ＭＣＧ）セルでのＰＤＳＣＨ伝送に応答するか、ＭＣＧセルとセカンダリセルグループ（Ｓｅｃｏｎｄａｒｙ  Ｃｅｌｌ  Ｇｒｏｕｐ、ＳＣＧ）セルの両方でのＰＤＳＣＨ伝送又は単にＳＣＧセルでのＰＤＳＣＨ伝送に応答するかによってハイブリッド自動再送要求（ＨＡＲＱ）−承認（ＡＣＫ）情報を有するＰＵＣＣＨを伝送するセルのＵＥによる選択を示す図である。
【図１４】本開示によるＰＵＣＣＨ又はＰＵＳＣＨのＨＡＲＱ−ＡＣＫ情報のマルチプレキシングを示す図である。
【発明を実施するための形態】
【００１２】
後述される図１乃至図１４、及び本特許文献で本発明の原理を説明するために用いられた多様な実施例は単なる例示のためのものであって、本発明の範囲を限定する方式と解釈されてはならない。当業者は本発明の原理があらゆる適切に配置された通信装置で具現され得ることを理解できるはずである。
【００１３】
次の文献及び標準説明は、本明細書に完全に明示されたように本開示に含まれる：３ＧＰＰ  ＴＳ  ３６．２１１  ｖ１２．１．０、「Ｅ−ＵＴＲＡ、物理チャネル及び変調」（ＲＥＦ１）；３ＧＰＰ  ＴＳ  ３６．２１２  ｖ１２．１．０、「Ｅ−ＵＴＲＡ、マルチプレキシング及びチャネルコーディング"（ＲＥＦ２）；３ＧＰＰ  ＴＳ  ３６．２１３  ｖ１２．１．０、「Ｅ−ＵＴＲＡ、物理層手順（ＲＥＦ３）；３ＧＰＰ  ＴＳ  ３６．３３１  ｖ１２．１．０、「Ｅ−ＵＴＲＡ、無線リソース制御（ＲＲＣ）プロトコル仕様」（ＲＥＦ４）；及び２０１５年１月７日に出願された「デュアルコネクティビティのためのアップリンク伝送」という名称の米国特許出願第１４／５９１，７５６号（ＲＥＦ５）。
【００１４】
本開示の１つ以上の実施例は、キャリアアグリゲーションの運用におけるアップリンク制御情報の伝送に関する。無線通信ネットワークは、基地局又はｅＮＢ（ｅｎｈａｎｃｅｄ  ＮｏｄｅＢ）のような伝送地点からＵＥに信号を伝達するダウンリンク（Ｄｏｗｎｌｉｎｋ、ＤＬ）を含む。また、無線通信ネットワークは、ＵＥからｅＮＢのような受信地点に信号を伝達するアップリンク（Ｕｐｌｉｎｋ、ＵＬ）を含む。
【００１５】
図１は、本開示による例示的な無線ネットワーク１００を図示する。図１に示す無線ネットワーク１００の実施例は単なる例示のためのものである。本開示の範囲から逸脱することなく無線ネットワーク１００の他の実施例が使用されることができる。
【００１６】
図１に示すように、無線ネットワーク１００は、ｅＮＢ１０１、ｅＮＢ１０２、及びｅＮＢ１０３を含む。ｅＮＢ１０１は、ｅＮＢ１０２及びｅＮＢ１０３と通信する。また、ｅＮＢ１０１は、インターネット、専用ＩＰ（Ｉｎｔｅｒｎｅｔ  Ｐｒｏｔｏｃｏｌ）ネットワーク、又は他のデータネットワークのような少なくとも１つのインターネットプロトコル（ＩＰ）ネットワーク１３０と通信する。
【００１７】
ネットワーク類型によっては、「ｅＮｏｄｅＢ」又は「ｅＮＢ」の代わりに「基地局」又は「アクセスポイント」のような、他の周知の用語が使用されることができる。便宜のために、本文献において、用語「ｅＮｏｄｅＢ」及び「ｅＮＢ」は、遠隔端末に無線アクセスを提供するネットワークインフラ構造の構成要素を示すために使用される。また、ネットワーク類型によっては、「ユーザ端末（ｕｓｅｒ  ｅｑｕｉｐｍｅｎｔ）」又は「ＵＥ」の代わりに「移動局」、「加入者局」、「遠隔端末」、「無線端末」又は「ユーザ装置」のような他の周知の用語が使用されることができる。ＵＥは、据置式又は移動式の場合があり、携帯電話、個人用コンピュータ装置などの場合がある。便宜のために、本文献において、用語「ユーザ端末」及び「ＵＥ」は、ＵＥがモバイル装置（携帯電話又はスマートフォンのような）であろうと一般に固定式装置（デスクトップコンピュータ又は自動販売機のような）と見なされようとｅＮＢに無線にアクセスする遠隔無線端末を示すために使用される。
【００１８】
ｅＮＢ１０２は、ｅＮＢ１０２のカバレッジ領域１２０内の第１の複数のユーザ端末（ＵＥ）にネットワーク１３０に対する無線広帯域アクセスを提供する。第１の複数のＵＥは小企業（ｓｍａｌｌ  ｂｕｓｉｎｅｓｓ、ＳＢ）に位置し得るＵＥ１１１、大企業（Ｅｎｔｅｒｐｒｉｓｅ、Ｅ）に位置し得るＵＥ１１２、ＷｉＦｉホットスポット（ｈｏｔｓｐｏｔ、ＨＳ）に位置し得るＵＥ１１３、第１居住地（ｒｅｓｉｄｅｎｃｅ、Ｒ）に位置し得るＵＥ１１４、第２居住地（Ｒ）に位置し得るＵＥ１１５、及び携帯電話、無線ラップトップ、無線ＰＤＡなどのようなモバイル装置（Ｍ）であり得るＵＥ１１６を含む。ｅＮＢ１０３は、ｅＮＢ１０３のカバレッジ領域１２５内の第２の複数のＵＥにネットワーク１３０に対する無線広帯域アクセスを提供する。第２の複数のＵＥは、ＵＥ１１５及びＵＥ１１６を含む。一部の実施例において、ｅＮＢ１０１〜１０３のうち１つ以上は、５Ｇ、ＬＴＥ、ＬＴＥ−Ａ、ＷｉＭＡＸ又は他の進歩した無線通信技術を使用して互いに通信するかまたはＵＥ１１１〜１１６と通信することができる。
【００１９】
単なる例示及び説明のために概略的な円形で示される点線は、カバレッジ領域１２０及びカバレッジ領域１２５の概略的な範囲を示す。カバレッジ領域１２０及びカバレッジ領域１２５のようにｅＮＢと関連づけられたカバレッジ領域は天然及び人工障害物と関連づけられた無線環境での変動及びｅＮＢの構成によって不規則な形状を含む他の形状を有することができることを明確に理解するべきである。
【００２０】
より詳細に後述されるように、（ｅＮＢ１０１〜１０３及び／又はＵＥ１１１〜１１６のような）ネットワーク１００の様々な構成要素は、ネットワーク１００で通信方向適応をサポートし、キャリアアグリゲーションの運用におけるＤＬ伝送又はＵＬ伝送に対するサポートを提供できる。
【００２１】
図１は、無線ネットワーク１００の一例を図示するが、様々な変更が図１に対して行われることができる。例えば、ネットワーク１００は、任意の適切な配置で任意の個数のｅＮＢ及び任意の個数のＵＥを含むことができる。また、ｅＮＢ１０１は、任意の個数のＵＥと直接通信することができ、これらのＵＥにネットワーク１３０に対する無線広帯域アクセスを提供できる。同様に、各々のｅＮＢ１０２及び１０３は、ネットワーク１３０と又は互いに直接通信することができ、ＵＥにネットワーク１３０に対する直接的な無線広帯域アクセスを提供できる。また、ｅＮＢ１０１、ｅＮＢ１０２及び／又はｅＮＢ１０３は、外部電話ネットワーク又は他の類型のデータネットワークのような他の又は追加の外部ネットワークに対するアクセスを提供できる。
【００２２】
図２は、本開示による例示的なＵＥ１１４を図示する。図２に示すＵＥ１１４の実施例は単なる例示のためのもので、図１の他のＵＥは同じ又は類似の構成を有し得る。しかし、ＵＥは非常に多様な構成を有し、図２は、本開示の範囲をＵＥの任意の特定具現に制限しない。
【００２３】
図２に示すように、ＵＥ１１４は、アンテナ２０５、無線周波数（ｒａｄｉｏ  ｆｒｅｑｕｅｎｃｙ、ＲＦ）送受信機２１０、送信（ｔｒａｎｓｍｉｔ、ＴＸ）処理回路２１５、マイクロホン２２０、及び受信（ｒｅｃｅｉｖｅ、ＲＸ）処理回路２２５を含む。また、ＵＥ１１４は、スピーカ２３０、メインプロセッサ２４０、入力／出力（Ｉｎｐｕｔ／Ｏｕｔｐｕｔ、Ｉ／Ｏ）インタフェース（Ｉｎｔｅｒｆａｃｅ、ＩＦ）２４５、キーパッド２５０、ディスプレイ２５５及びメモリ２６０を含む。メモリ２６０は、オペレーティングシステム（ｏｐｅｒａｔｉｎｇ  ｓｙｓｔｅｍ、ＯＳ）プログラム２６１及び１つ以上のアプリケーション２６２を含む。
【００２４】
ＲＦ送受信機２１０は、ｅＮＢ又は他のＵＥによって伝送された入力ＲＦ信号をアンテナ２０５から受信する。ＲＦ送受信機２１０は、中間周波数（ｉｎｔｅｒｍｅｄｉａｔｅ  ｆｒｅｑｕｅｎｃｙ、ＩＦ）又は基底帯域信号を生成するために入力ＲＦ信号をダウンコンバート（ｄｏｗｎ−ｃｏｎｖｅｒｔ）する。ＩＦ又は基底帯域信号は、基底帯域又はＩＦ信号をフィルタリング、デコード、及び／又はデジタル化して処理された基底帯域信号を生成するＲＸ処理回路２２５に伝送される。ＲＸ処理回路２２５は、処理された基底帯域信号を追加処理するためにメインプロセッサ２４０（例えば、ウェブブラウジングデータを生成するために）又はスピーカ２３０（例えば、音声データを生成するために）に伝送する。
【００２５】
ＴＸ処理回路２１５は、マイクロホン２２０からアナログ又はデジタル音声データを受信するかまたは、メインプロセッサ２４０から他の出力基底帯域データ（ウェブデータ、電子メール、又は対話形ビデオゲームデータのような）を受信する。ＴＸ処理回路２１５は、処理された基底帯域又はＩＦ信号を生成するために出力基底帯域データをエンコード、マルチプレキシング、及び／又はデジタル化する。ＲＦ送受信機２１０は、ＴＸ処理回路２１５から出力される処理された基底帯域又はＩＦ信号を受信し、基底帯域又はＩＦ信号を、アンテナ２０５を介して伝送されるＲＦ信号にアップコンバート（ｕｐ−ｃｏｎｖｅｒｔ）する。
【００２６】
メインプロセッサ２４０は、１つ以上のプロセッサ又は他の処理装置を含むことができ、ＵＥ１１４の全般的な動作を制御するためにメモリ２６０に保存された基本ＯＳプログラム２６１を実行できる。例えば、メインプロセッサ２４０は、周知の原理に従ってＲＦ送受信機２１０、ＲＸ処理回路２２５及びＴＸ処理回路２１５によって順方向チャネル信号の受信及び逆方向チャネル信号の伝送を制御できる。一部の実施例において、メインプロセッサ２４０は、少なくとも１つのマイクロプロセッサ又はマイクロ制御器を含む。
【００２７】
また、メインプロセッサ２４０は、キャリアアグリゲーションの運用でアップリンク制御情報の伝送のための動作のようにメモリ２６０に常駐する他のプロセス及びプログラムを実行できる。メインプロセッサ２４０は、実行するプロセスによって必要に応じてメモリ２６０の内又は外にデータを移動させることができる。一部の実施例において、メインプロセッサ２４０は、ｅＮＢ、他のＵＥ又はオペレータから受信された信号に応じて、又はＯＳプログラム２６１に基づいてアプリケーション２６２を実行するように構成される。また、メインプロセッサ２４０は、ＵＥ１１４がラップトップコンピュータ及びハンドヘルドコンピュータのような他の装置に接続する能力を提供するＩ／Ｏインタフェース２４５と結合される。Ｉ／Ｏインタフェース２４５は、メインプロセッサ２４０とこれらの付属装置間の通信経路である。
【００２８】
また、メインプロセッサ２４０は、キーパッド２５０及びディスプレイユニット２５５に結合される。ＵＥ１１４のオペレータはＵＥ１１４にデータを入力するためにキーパッド２５０を使用することができる。ディスプレイ２５５は、例えば、ウェブサイトからテキスト及び／又は少なくとも制限されたグラフィックをレンダリングできる液晶ディスプレイ又は他のディスプレイであり得る。
【００２９】
メモリ２６０は、メインプロセッサ２４０に結合される。メモリ２６０の一部は制御又はデータシグナリングメモリ（ＲＡＭ）を含むことができ、メモリ２６０の他の一部はフラッシュメモリ又は他の読み出し専用メモリ（ｒｅａｄ−ｏｎｌｙ  ｍｅｍｏｒｙ、ＲＯＭ）を含むことができる。
【００３０】
より詳細に後述されるように、ＵＥ１１４（ＲＦ送受信機２１０、ＴＸ処理回路２１５及び／又はＲＸ処理回路２２５を使用して具現された）の送信経路及び受信経路は各々のキャリアアグリゲーションの運用におけるＤＬ伝送又はＵＬ伝送をサポートする。
【００３１】
図２は、ＵＥ１１４の一例を図示するが、様々な変更が図２に対して行われることができる。例えば、図２の様々な構成要素は結合、さらに細分化、又は省略されることができ、追加の構成要素が特定の要求に応じて追加されることができる。特定の例として、メインプロセッサ２４０は、１つ以上の中央処理ユニット（ｃｅｎｔｒａｌ  ｐｒｏｃｅｓｓｉｎｇ  ｕｎｉｔ、ＣＰＵ）及び１つ以上のグラフィック処理ユニット（ｇｒａｐｈｉｃｓ  ｐｒｏｃｅｓｓｉｎｇ  ｕｎｉｔｓ、ＧＰＵｓ）のように複数のプロセッサに分かれることができる。また、図２は、携帯電話又はスマートフォンとして構成されたＵＥ１１４を図示するが、ＵＥは他の類型のモバイル装置又は固定式装置として動作するように構成されることができる。また、図２の様々な構成要素は互いに異なるＲＦ構成要素がｅＮＢ１０１〜１０３及び他のＵＥと通信するために使用される際のように複製されることができる。
【００３２】
図３は、本開示による例示的なｅＮＢ１０２を図示する。図３に示すｅＮＢ１０２の実施例は単なる例示のためのもので、図１の他のｅＮＢは同じ又は類似の構成を有し得る。しかし、ｅＮＢは非常に多様な構成を有し、図３は、本開示の範囲をｅＮＢの任意の特定の具現に制限しない。
【００３３】
図３に示すように、ｅＮＢ１０２は、複数のアンテナ３０５ａ〜３０５ｎ、複数のＲＦ送受信機３１０ａ〜３１０ｎ、送信（ＴＸ）処理回路３１５、及び受信（ＲＸ）処理回路３２０を含む。また、ｅＮＢ１０２は、制御器／プロセッサ３２５、メモリ３３０、及びバックホール（ｂａｃｋｈａｕｌ）又はネットワークインタフェース（ｉｎｔｅｒｆａｃｅ、ＩＦ）３３５を含む。
【００３４】
ＲＦ送受信機３１０ａ〜３１０ｎは、ＵＥ又は他のｅＮＢによって伝送された信号のような入力ＲＦ信号をアンテナ３０５ａ〜３０５ｎから受信する。ＲＦ送受信機３１０ａ〜３１０ｎは、ＩＦ又は基底帯域信号を生成するために入力ＲＦ信号をダウンコンバートする。ＩＦ又は基底帯域信号は、基底帯域又はＩＦ信号をフィルタリング、デコード、及び／又はデジタル化して処理された基底帯域信号を生成するＲＸ処理回路３２０に伝送される。ＲＸ処理回路３２０は、追加処理のために処理された基底帯域信号を制御器／プロセッサ３２５に伝送する。
【００３５】
ＴＸ処理回路３１５は、制御器／プロセッサ３２５から音声データ、ウェブデータ、電子メール、又は対話形ビデオゲームデータのようなアナログ又はデジタルデータを受信する。ＴＸ処理回路３１５は、処理された基底帯域又はＩＦ信号を生成するために出力基底帯域データをエンコード、マルチプレキシング及び／又はデジタル化する。ＲＦ送受信機３１０ａ〜３１０ｎは、ＴＸ処理回路３１５から出力される処理された基底帯域又はＩＦ信号を受信し、基底帯域又はＩＦ信号をアンテナ３０５ａ〜３０５ｎを介して伝送されるＲＦ信号にアップコンバートする。
【００３６】
制御器／プロセッサ３２５は、ｅＮＢ１０２の全般的な動作を制御する１つ以上のプロセッサ又は他の処理装置を含むことができる。例えば、制御器／プロセッサ３２５は、周知の原理に従ってＲＦ送受信機３１０ａ〜３１０ｎ、ＲＸ処理回路３２０及びＴＸ処理回路３１５によって順方向チャネル信号の受信及び逆方向チャネル信号の伝送を制御できる。制御器／プロセッサ３２５は、さらに進化した無線通信機能のような追加的な機能もサポートできる。例えば、制御器／プロセッサ３２５は、所望の方向に出力信号を效果的に操るために複数のアンテナ３０５ａ〜３０５ｎからの出力信号に互いに異なる加重値が与えられるビームフォーミング又は指向性ルーティング動作をサポートできる。非常に多様な他の機能のうち何れか１つの機能が制御器／プロセッサ３２５によってｅＮＢ１０２でサポートされることができる。一部の実施例において、制御器／プロセッサ３２５は、少なくとも１つのマイクロプロセッサ又はマイクロ制御器を含む。
【００３７】
また、制御器／プロセッサ３２５は、キャリアアグリゲーションの運用でユーザ端末（ＵＥ）からのアップリンク制御情報の伝送をサポートするための動作及び基本ＯＳのようにメモリ３３０に常駐するプログラム及び他のプロセスを実行できる。制御器／プロセッサ３２５は、実行するプロセスによって必要に応じてメモリ３３０内又は外にデータを移動させることができる。
【００３８】
また、制御器／プロセッサ３２５は、バックホール又はネットワークインタフェース３３５に結合される。バックホール又はネットワークインタフェース３３５は、ｅＮＢ１０２がネットワークを介して又はバックホール接続を介して他の装置又はシステムと通信できるようにする。インタフェース３３５は、あらゆる適した有線又は無線接続（ら）を介して通信をサポートできる。例えば、ｅＮＢ１０２がセルラー通信システム５Ｇ、ＬＴＥ、又はＬＴＥ−Ａをサポートするような）の一部として具現される場合、インタフェース３３５は、ｅＮＢ１０２が有線又は無線バックホール接続を介してｅＮＢ１０３のような他のｅＮＢと通信できるようにすることができる。ｅＮＢ１０２がアクセスポイントとして具現される場合、インタフェース３３５は、ｅＮＢ１０２が有線若しくは無線接続を介して又は有線若しくは無線近距離ネットワークを介してより大きなネットワーク（インターネットのような）に通信できるようにすることができる。インタフェース３３５は、イーサネット（登録商標）又はＲＦ送受信機のように有線又は無線接続を介して通信をサポートするあらゆる適した構造を含む。
【００３９】
メモリ３３０は、制御器／プロセッサ３２５に結合される。メモリ３３０の一部はＲＡＭを含むことができ、メモリ３３０の他の一部はフラッシュメモリ又は他のＲＯＭを含むことができる。
【００４０】
より詳細に後述されるように、ｅＮＢ１０２（ＲＦ送受信機３１０ａ〜３１０ｎ、ＴＸ処理回路３１５、及び／又はＲＸ処理回路３２０を使用して具現される）の送信経路及び受信経路は各々のキャリアアグリゲーションにおけるＤＬ伝送又はＵＬ伝送をサポートする。
【００４１】
図３は、ｅＮＢ１０２の一例を図示するが、様々な変更が図３に対して行われることができる。例えば、ｅＮＢ１０２は、図３に示す各々の構成要素の任意の個数を含むことができる。特定の例として、アクセスポイントは複数のインタフェース３３５を含むことができ、制御器／プロセッサ３２５は、互いに異なるネットワークアドレス間でデータを伝送するルーティング機能をサポートできる。他の特定の例として、ＴＸ処理回路３１５の単一インスタンス（ｉｎｓｔａｎｃｅ）及びＲＸ処理回路３２０の単一インスタンスを含むと図示されるが、ｅＮＢ１０２は、複数のインスタンスを含むことができる（例えば、１つのＲＦ送受信機あたり１つのインスタンスのように）。
【００４２】
一部の無線ネットワークで、ＤＬ信号は情報コンテンツ（ｃｏｎｔｅｎｔ）を伝達するデータ信号、ＤＬ制御情報（Ｄｏｗｎｌｉｎｋ  Ｃｏｎｔｒｏｌ  Ｉｎｆｏｒｍａｔｉｏｎ、ＤＣＩ）を伝達する制御信号、及びパイロット信号とも知られる基準信号（Ｒｅｆｅｒｅｎｃｅ  Ｓｉｇｎａｌ、ＲＳ）を含むことができる。ｅＮＢ１０２のようなｅＮＢは、ＵＥ−共通（Ｃｏｍｍｏｎ）ＲＳ（ＣＲＳ）、チャネル状態情報ＲＳ（Ｃｈａｎｎｅｌ  Ｓｔａｔｅ  Ｉｎｆｏｒｍａｔｉｏｎ  ＲＳ、ＣＳＩ−ＲＳ）、及び復調ＲＳ（ＤｅＭｏｄｕｌａｔｉｏｎ  ＲＳ、ＤＭＲＳ）を含む様々な類型のＲＳのうち１つ以上を伝送できる。ＣＲＳは、ＤＬシステム帯域幅（ＢａｎｄＷｉｄｔｈ、ＢＷ）を介して伝送されることができ、ＵＥ１１６のようなＵＥによって測定を行う、またはデータ信号又は制御信号を復調するために使用されることができる。ＣＲＳオーバーヘッドを減少させるために、ｅＮＢ１０２は、時間又は周波数ドメインでＣＲＳより小さな密度を有するＣＳＩ−ＲＳを伝送できる（ＲＥＦ１及びＲＥＦ３参照）。ＵＥ１１６は、測定を行うためにＣＲＳ又はＣＳＩ−ＲＳを使用することができ、ＵＥ１１６が物理ＤＬ共有チャネル（Ｐｈｙｓｉｃａｌ  ＤＬ  Ｓｈａｒｅｄ  Ｃｈａｎｎｅｌ、ＰＤＳＣＨ）の受信のためにｅＮＢ１０２によって構成される伝送モード（Ｔｒａｎｓｍｉｓｓｉｏｎ  Ｍｏｄｅ、ＴＭ）に基づいて選択が行われることができる（ＲＥＦ３参照）。最後に、ＤＭＲＳは、各々のＰＤＳＣＨ又は物理ＤＬ制御チャネル（Ｐｈｙｓｉｃａｌ  ＤＬ  Ｃｏｎｔｒｏｌ  Ｃｈａｎｎｅｌ、ＰＤＣＣＨ）のＢＷでのみ伝送され、ＵＥ１１６は、ＰＤＳＣＨ又はＰＤＣＣＨの情報を復調するためにＤＭＲＳを使用することができる。
【００４３】
ＵＥ１１６によって伝送されたデータＴＢの検出に応じて、ｅＮＢ１０２は、データＴＢの正確な（肯定応答）又は不正確な（否定応答）検出に対するハイブリッド自動再送要求承認（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ、ＨＡＲＱ−ＡＣＫ）情報を提供する物理ＨＡＲＱ指示子チャネル（Ｐｈｙｓｉｃａｌ  ＨＡＲＱ  Ｉｎｄｉｃａｔｏｒ  Ｃｈａｎｎｅｌ、ＰＨＩＣＨ）を伝送できる。
【００４４】
ＤＣＩは様々な目的に役立つ。各々のＰＤＣＣＨにあるＤＣＩフォーマットはそれぞれＵＥ１１６からデータ情報を伝達されるＰＵＳＣＨ伝送又はＵＥ１１６にデータ情報を伝達するＰＤＳＣＨ伝送をスケジューリングできる（ＲＥＦ２参照）。一部の具現において、ＵＥ１１６は、ＰＵＳＣＨ又はＰＵＣＣＨの伝送のためのＵＥグループに伝送電力制御（Ｔｒａｎｓｍｉｓｓｉｏｎ  Ｐｏｗｅｒ  Ｃｏｎｔｒｏｌ、ＴＰＣ）命令を提供するＤＣＩフォーマット３又はＤＣＩフォーマット３Ａ（共同にＤＣＩフォーマット３／３Ａと称される）をモニタリングする。ＤＣＩフォーマット３は、２ビットのＴＰＣ命令を提供し、その一方で、ＤＣＩフォーマット３Ａは、１ビットのＴＰＣ命令を提供する。一般に、ＤＣＩフォーマットは、ＵＥ１１６が正確な検出を確認することができるように巡回冗長検査（Ｃｙｃｌｉｃ  Ｒｅｄｕｎｄａｎｃｙ  Ｃｈｅｃｋ、ＣＲＣ）ビットを含む。ＤＣＩフォーマット類型はＣＲＣビットをスクランブルする無線ネットワーク一時的識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）によって識別される（ＲＥＦ２参照）。１つのＵＥに対してＰＤＳＣＨ又はＰＵＳＣＨをスケジューリングするＤＣＩフォーマットの場合、ＲＮＴＩは、セル（Ｃｅｌｌ）ＲＮＴＩ（Ｃ−ＲＮＴＩ）になることができ、ＵＥ識別子の役割を行う。ＵＥグループにＴＰＣ命令を提供するＤＣＩフォーマットの場合、ＲＮＴＩは、ＴＰＣ命令がそれぞれＰＵＣＣＨ伝送の電力を調整するためのものであるか、あるいは、ＰＵＳＣＨ伝送の電力を調整するためのものであるかによって、ＴＰＣ−ＰＵＣＣＨ−ＲＮＴＩ又はＴＰＣ−ＰＵＳＣＨ−ＲＮＴＩであり得る。各々のＲＮＴＩ類型は、ｅＮＢ１０２からＲＲＣシグナリングのような上位層シグナリングを介してＵＥ１１６に構成されることができる（なお、Ｃ−ＲＮＴＩは各々のＵＥに固有である）。
【００４５】
図４は、本開示によるＤＣＩフォーマットに対する例示的なエンコードプロセスを図示する。図４に示すエンコードプロセスの実施例は単なる例示のためのものである。本開示の範囲から逸脱することなく他の実施例が使用されることができる。
【００４６】
ｅＮＢ１０２は、各々のＰＤＣＣＨで各々のＤＣＩフォーマットを個別的にエンコードして伝送する。ＤＣＩフォーマットがＵＥ１１６のためのものであるかをＵＥ１１６が識別できるようにするために、ＤＣＩフォーマットの対象であるＵＥ１１６に構成されたＲＮＴＩはＤＣＩフォーマットコードワードのＣＲＣをマスキングする。ＤＣＩフォーマットビット４１０（エンコードされず）のＣＲＣがＣＲＣ計算演算４２０を使用して計算され、その後、ＣＲＣとＲＮＴＩビット４３０間の排他的論理和（ｅｘｃｌｕｓｉｖｅ  ＯＲ、ＸＯＲ）演算４２５を使用してＣＲＣがマスキングされる。ＸＯＲ演算４２５は、ＸＯＲ（０，０）＝０、ＸＯＲ（０，１）＝１、ＸＯＲ（１，０）＝１、ＸＯＲ（１，１）＝０に定義される。マスキングされたＣＲＣビットがＣＲＣ添付演算４４０を使用してＤＣＩフォーマット情報ビットに添付され、チャネルコーディング演算４５０を使用してチャネルコーディング（テールバイティングを有する畳み込み符号を使用する作業のような、ＲＥＦ２参照）が行われ、次いでレートマッチング（ｒａｔｅ  ｍａｔｃｈｉｎｇ）４６０、ＵＥ特定スクランブルシーケンス４７０（他のＸＯＲ演算）によるスクランブル、ＱＰＳＫのような変調４８０が行われ、エンコードされたＤＣＩフォーマットの変調されたシンボルがＲＥにマッピングされ（図４の４９０）（ＲＥＦ１参照）、出力制御信号４９５がＰＤＣＣＨで伝送される。例えば、ＣＲＣとＲＮＴＩはいずれも１６ビットを含む。
【００４７】
図５は、本開示によるＤＣＩフォーマットに対する例示的なデコードプロセスを図示する。図５に示すデコードプロセスの実施例は単なる例示のためのものである。本開示の範囲から逸脱することなく他の実施例が使用されることができる。
【００４８】
ＵＥ１１６は、ＰＤＣＣＨで制御信号５０５に対するＲＥを受信し、ＰＤＣＣＨ候補に対する検索空間によってＲＥをデマッピングし５１０（ＲＥＦ３参照）、推定されたＤＣＩフォーマットの受信されたシンボルを復調する（図５の５２０）。その後、復調されたシンボルはＵＥ特定スクランブルシーケンスの複素共役とのＸＯＲ演算を適用してデスクランブルされる（図５の５３０）。ｅＮＢ１０２送信機で適用されたレートマッチングが復元され、次いで、テールバイティングを有する畳み込みデコードのようなチャネルデコーディング５５０が行われる。デコードが行われた後、ＵＥ１１６は、ＣＲＣビットを抽出（図５の５６０）した後、ＤＣＩフォーマットビット５６５を獲得する。その後、ＣＲＣビット５６０は、ＤＣＩフォーマットと関連づけられたＲＮＴＩ５７０とＸＯＲ演算を適用してデマスキングされる（図５の５７０）。最後に、ＵＥ１１６は、ＣＲＣ検査５８０を行う。ＣＲＣ検査が肯定でＤＣＩフォーマットのコンテンツが有効な場合、ＵＥ１１６は、ＤＣＩフォーマットが有効でＵＥ１１６がＤＣＩフォーマット機能によって作用すると判断し、そうでない場合は、ＵＥ１１６は、推定されたＤＣＩフォーマットを無視する。
【００４９】
一部の無線ネットワークにおいて、ＵＬ信号は、情報コンテンツを伝達するデータ信号、ＵＬ制御情報（ＵＬ  Ｃｏｎｔｒｏｌ  Ｉｎｆｏｒｍａｔｉｏｎ、ＵＣＩ）を伝達する制御信号及びＲＳを含むことができる。また、ＵＬ信号は、ｅＮＢとの接続を設定維持するためにＵＥによって伝送される物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を含む。
【００５０】
ＵＥ１１６は、ｅＮＢ１０２とＵＣＩ又はデータ情報をそれぞれ物理ＵＬ共有チャネル（ＰＵＳＣＨ）又は物理ＵＬ制御チャネル（ＰＵＣＣＨ）を介して同じｅＮＢに伝送する。ＵＥ１１６がデータ情報及びＵＣＩを同時に伝送する場合、ＵＥ１１６は、ＰＵＳＣＨで２つの情報をいずれもマルチプレキシングする、又はＰＵＳＣＨでデータ情報を伝送しＰＵＣＣＨでＵＣＩを伝送する（ＲＥＦ３参照）。ＵＣＩは、各々のＰＤＳＣＨでのデータ伝送ブロック（Ｔｒａｎｓｐｏｒｔ  Ｂｌｏｃｋ、ＴＢ）の正確又は不正確な検出を示すＨＡＲＱ−ＡＣＫ情報、ＵＥがそのバッファに伝送するデータを有するか否かをｅＮＢ１０２に表示するスケジューリング要求（Ｓｃｈｅｄｕｌｉｎｇ  Ｒｅｑｕｅｓｔ、ＳＲ）情報、及びｅＮＢ１０２がＵＥ１１６に対するＰＤＳＣＨ伝送又はＰＤＣＣＨ伝送のための適切な媒介変数を選択できるようにするチャネル状態情報（Ｃｈａｎｎｅｌ  Ｓｔａｔｅ  Ｉｎｆｏｒｍａｔｉｏｎ、ＣＳＩ）を含む。ＨＡＲＱ−ＡＣＫ情報は、正確なＰＤＣＣＨ又はデータＴＢ検出に応答する肯定応答（ＡＣＫ）、不正確なデータＴＢ検出に応答する否定応答（ＮＡＣＫ）、及びＰＤＣＣＨ検出の不在（ＤＴＸ）を含む（ＤＴＸは暗示又は明示的であることができる）。ＵＥ１１６がＨＡＲＱ−ＡＣＫ信号を伝送しない場合、ＤＴＸは暗示的であることができる。ＨＡＲＱ−ＡＣＫ情報で同じＮＡＣＫ／ＤＴＸ状態でＮＡＣＫ及びＤＴＸを表現することも可能である（ＲＥＦ３参照）。
【００５１】
ＣＳＩは、予め定義された目標ブロック誤り率（Ｂｌｏｃｋ  Ｅｒｒｏｒ  Ｒａｔｅ、ＢＬＥＲ）でＵＥ１１４によって受信されることができる変調及びコーディング方式（Ｍｏｄｕｌａｔｉｏｎ  ａｎｄ  Ｃｏｄｉｎｇ  Ｓｃｈｅｍｅ、ＭＣＳ）を有するトランスポートブロックサイズ（Ｔｒａｎｓｐｏｒｔ  Ｂｌｏｃｋ  Ｓｉｚｅ、ＴＢＳ）をｅＮＢ１０２に知らせるチャネル品質指標（Ｃｈａｎｎｅｌ  Ｑｕａｌｉｔｙ  Ｉｎｄｉｃａｔｏｒ、ＣＱＩ）、多重入力多重出力（Ｍｕｌｔｉ  Ｉｎｐｕｔ  Ｍｕｌｔｉ  Ｏｕｔｐｕｔ、ＭＩＭＯ）伝送原理に従って複数の伝送アンテナから送信される信号を結合する方法をｅＮＢ１０２に知らせるプリコーディングマトリックスインジケータ（Ｐｒｅｃｏｄｉｎｇ  Ｍａｔｒｉｘ  Ｉｎｄｉｃａｔｏｒ、ＰＭＩ）、及びＰＤＳＣＨに対する伝送ランクを表示するランクインジケータ（Ｒａｎｋ  Ｉｎｄｉｃａｔｏｒ、ＲＩ）を含む（ＲＥＦ３参照）。例えば、ＵＥ１１６は、構成されたＰＤＳＣＨ  ＴＭ及びＵＥ１１６受信機特性も考慮しながら信号対干渉雑音比（Ｓｉｇｎａｌ−ｔｏ−Ｎｏｉｓｅ  ａｎｄ  Ｉｎｔｅｒｆｅｒｅｎｃｅ、ＳＩＮＲ）測定からＣＱＩを決定できる。ＵＬ  ＲＳは、ＤＭＲＳ及びサウンディングＲＳ（Ｓｏｕｎｄｉｎｇ  ＲＳ、ＳＲＳ）を含むことができる。ＤＭＲＳは、各々のＰＵＳＣＨ又はＰＵＣＣＨのＢＷでのみ伝送されることができ、ｅＮＢ１０２は、ＰＵＳＣＨ又はＰＵＣＣＨの情報を復調するためにＤＭＲＳを使用することができる。ＳＲＳは、ＵＬ  ＣＳＩをｅＮＢ１０２に提供するためにＵＥ１１６によって伝送されることができる（ＲＥＦ２及びＲＥＦ３参照）。
また、初期アクセスのために又は後続の同期化のために、ＵＥ１１６は、ｅＮＢ１０２によってＰＲＡＣＨを伝送するように構成されることができる。
【００５２】
ＤＬシグナリング又はＵＬシグナリングのための伝送時間間隔（Ｔｒａｎｓｍｉｓｓｉｏｎ  ｔｉｍｅ  ｉｎｔｅｒｖａｌ、ＴＴＩ）は１つのサブフレーム（ＳＦ）である。ＴＤＤ通信システムで、一部のＳＦでの通信方向はＤＬで、一部の他のＳＦでの通信方向はＵＬである。
【００５３】
図６は、本開示によるＰＵＳＣＨ伝送又はＰＵＣＣＨ伝送のための例示的なＵＬ  ＳＦ構造を図示する。図６に示すＵＬ  ＳＦ構造の実施例は単なる例示のためのものである。本開示の範囲から逸脱することなく他の実施例が使用されることができる。
【００５４】
ＵＬシグナリングは、離散フーリエ変換スプレッドＯＦＤＭ（Ｄｉｓｃｒｅｔｅ  Ｆｏｕｒｉｅｒ  Ｔｒａｎｓｆｏｒｍ  Ｓｐｒｅａｄ  ＯＦＤＭ、ＤＦＴ−Ｓ−ＯＦＤＭ）を使用することができる。ＵＬ  ＳＦ６１０は、２つのスロットを含む。各々のスロット６２０は、ＵＥ１１６がデータ情報、ＵＣＩ又はＲＳを伝送する
【数１】
0006579521.tif 000002
個のシンボル６３０を含む。伝送ＢＷはリソースブロック（Ｒｅｓｏｕｒｃｅ  Ｂｌｏｃｋｓ、ＲＢｓ）と称される周波数リソースユニットを含む。各々のＲＢは、リソース要素（Ｒｅｓｏｕｒｃｅ  Ｅｌｅｍｅｎｔｓ、ＲＥｓ）と称される
【数２】
0006579521.tif 000003
個の（仮想の）副搬送波を含む。ＵＥ１１６は、ＰＵＳＣＨ伝送ＢＷに対して
【数３】
0006579521.tif 000004
個のＲＥに対する
【数４】
0006579521.tif 000005
個のＲＢ６４０が割り当てられる。ＵＥ１１６は、一般にＰＵＣＣＨ伝送ＢＷに対して
【数５】
0006579521.tif 000006
のＲＢが割り当てられる。１つのＳＦによる１つのＲＢの伝送ユニットは物理ＲＢ（Ｐｈｙｓｉｃａｌ  ＲＢ、ＰＲＢ）と称される。最終ＳＦシンボルは１つ以上のＵＥからのＳＲＳ伝送６５０をマルチプレキシングするために使用されることができる。最終ＵＬシンボルがＰＵＳＣＨ伝送ＢＷとＢＷで少なくとも部分的に重なるＵＥからのＳＲＳ伝送をサポートする場合、データ／ＵＣＩ／ＤＭＲＳ伝送に利用できるＵＬ  ＳＦシンボルの個数は、
【数６】
0006579521.tif 000007
である。
【００５５】
図７は、本開示による例示的なＰＵＳＣＨ送信機を図示する。図７に示すＰＵＳＣＨ送信機の実施例は単なる例示のためのものである。本開示の範囲から逸脱することなく他の実施例が使用されることができる。
【００５６】
コーディングされたＣＳＩビット７０５及びコーディングされたデータビット７１０がマルチプレキシングユニットによってマルチプレキシングされる（図７の７２０）。各々のスロットでＤＭＲＳを伝送するために使用されたＳＦシンボルの隣にある２つのＳＦシンボルの一部のＲＥで（もしあれば）データビット又はＣＳＩビットをパンクチャ（図７の７３０）することでＨＡＲＱ−ＡＣＫビットのマルチプレキシングが行われる（ＲＥＦ２参照）。離散フーリエ変換（Ｄｉｓｃｒｅｔｅ  Ｆｏｕｒｉｅｒ  Ｔｒａｎｓｆｏｒｍ、ＤＦＴ）フィルタ７４０は、結合されたデータビット及びＵＣＩビットのＤＦＴを提供し、セレクタ７５５は、割り当てられたＰＵＳＣＨ伝送ＢＷ７５０に対するＲＥを選択し、逆高速フーリエ変換（Ｉｎｖｅｒｓｅ  Ｆａｓｔ  Ｆｏｕｒｉｅｒ  Ｔｒａｎｓｆｏｒｍ、ＩＦＦＴ）フィルタ７６０は、ＩＦＦＴを提供し、次いで、フィルタリング７７０、電力増幅器７８０及び最後に信号伝送７９０が提供される。
【００５７】
図８は、本開示による例示的なＰＵＳＣＨ受信機を図示する。図８に示すＰＵＳＣＨ受信機の実施例は単なる例示のためのものである。本開示の範囲から逸脱することなく他の実施例が使用されることができる。
【００５８】
デジタル信号８１０は、フィルタ８２０によってフィルタリングされ、ＦＦＴフィルタ８３０は、ＦＦＴを適用し、セレクタ８４０は、ＰＵＳＣＨ  ＲＥ８５０を選択し、逆ＤＦＴ（ＩＤＦＴ）フィルタ８６０は、ＩＤＦＴを適用し、ＨＡＲＱ−ＡＣＫ抽出ユニット８７０はＨＡＲＱ−ＡＣＫビットを抽出してデータビットに対する各々のイレーザ（ｅｒａｓｕｒｅｓ）を配置し、最後に、デマルチプレクサ８８０は、データビット８９０及びＣＳＩビット８９５をデマルチプレキシングする。
【００５９】
ＰＵＣＣＨでのＨＡＲＱ−ＡＣＫ伝送のために、又はＰＵＣＣＨでの共同のＨＡＲＱ−ＡＣＫ及び周期的ＣＳＩ（Ｐ−ＣＳＩ）伝送のために、ＯＨＡＲＱ−ＡＣＫ  ＨＡＲＱ−ＡＣＫビットのペイロード（ｐａｙｌｏａｄ）又はＯＨＡＲＱ−ＡＣＫ  ＨＡＲＱ−ＡＣＫビット及びＯＰ−ＣＳＩ  Ｐ−ＣＳＩビットのペイロードがエンコードされる。例えば、各々のペイロードは、ブロックコードを使用してエンコードされる。次のＨＡＲＱ−ＡＣＫビットの場合のような特定の実施例において、ブロックコードはリード・マラー（Ｒｅｅｄ−Ｍｕｌｌｅｒ、ＲＭ）符号３２（ＯＨＡＲＱ−ＡＣＫ）である。テールバイティング畳み込み符号も使用されることができる。例えば、ＵＥ１１６は、各々の機能のためにＲＥＦ１のＰＵＣＣＨフォーマットのうち１つを使用することができる。
【００６０】
ＰＵＣＣＨ送信機及び受信機の構造は、当業界に周知のＰＵＳＣＨに対する構造と類似で、各々の説明は簡潔性のために省略される。
【００６１】
隣接するセルに対する干渉を減少させＩｏＴ（ｉｎｔｅｒｆｅｒｅｎｃｅ  ｏｖｅｒ  ｔｈｅｒｍａｌ）雑音を制御して各々の受信信頼性目標を保証しつつ受信されたＳＩＮＲに対して所望の目標を達成するために、ＵＥ１１６によるＵＬ伝送の電力がｅＮＢ１０２によって制御される。ＵＬ電力制御（Ｐｏｗｅｒ  Ｃｏｎｔｒｏｌ、ＰＣ）は、セル特定及びＵＥ特定媒介変数を有する開ループ（Ｏｐｅｎ−Ｌｏｏｐ、ＯＬ）構成要素（ＲＥＦ３参照）及びＤＣＩフォーマットを介してｅＮＢ１０２がＵＥ１１６に提供するＴＰＣ命令と関連づけられた閉ループ（Ｃｌｏｓｅｄ−Ｌｏｏｐ、ＣＬ）構成要素（ＲＥＦ２及びＲＥＦ３参照）を含む。ＵＥ１１６からのＳＲＳ伝送電力はＰＵＳＣＨ伝送電力に従う（ＲＥＦ３参照）。
【００６２】
セルｃに対するＳＦ  ｉでＵＥ１１６からの、ミリワットあたりデシベル（ｄＢｍ）で表される、ＰＵＳＣＨ伝送電力
【００６３】
【数７】
0006579521.tif 000008
は、式１によって与えられる（ＲＥＦ３参照）。
【００６４】
【数８】
0006579521.tif 000009
【００６５】
【数９】
0006579521.tif 000010
【００６６】
セルｃに対するＳＦ  ｉでＵＥ１１６からのＰＵＣＣＨ伝送電力
【数１０】
0006579521.tif 000011
は式２によって与えられる（ＲＥＦ３参照）。
【数１１】
0006579521.tif 000012
【００６７】
【数１２】
0006579521.tif 000013
【００６８】
セルｃに対するＳＦ  ｉでＵＥ１１６からのＳＲＳ伝送電力
【数１３】
0006579521.tif 000014
は、式３によって与えられる（ＲＥＦ３参照）。
【数１４】
0006579521.tif 000015
【００６９】
【数１５】
0006579521.tif 000016
式中、
【００７０】
セルｃに対するＳＦ  ｉでＵＥ１１６からのＰＲＡＣＨ伝送電力
【数１６】
0006579521.tif 000017
は式４によって与えられる（ＲＥＦ３参照）。
【数１７】
0006579521.tif 000018
式中、「Ｔａｒｇｅｔ」はｅＮＢ１０２から上位層シグナリングによってＵＥ１１６に構成されるＰＲＥＡＭＢＬＥ＿ＲＥＣＥＩＶＥＤ＿ＴＡＲＧＥＴ＿ＰＯＷＥＲ媒介変数である。
【００７１】
ＵＥ１１６は、パワーヘッドルームレポート（Ｐｏｗｅｒ  Ｈｅａｄｒｏｏｍ  Ｒｅｐｏｒｔ、ＰＨＲ）によって現在の伝送に使用された電力以外のＵＥ１１６が有する電力量をｅＮＢ１０２に表示できる。ＰＨＲは類型１又は類型２になることができ、各々の類型はＵＥ１１６がセルの同じＳＦでＰＵＳＣＨとＰＵＣＣＨをいずれも伝送する場合にはそれぞれＰＵＳＣＨ伝送とＰＵＣＣＨ伝送の両方に対するものであったり、ＵＥ１１６がＰＵＳＣＨ及びＰＵＣＣＨを同じＳＦで伝送しない場合にはＰＨＲが伝送されるＰＵＳＣＨ伝送に対するものであることができる（ＲＥＦ３参照）。正のＰＨＲ値は、ＵＥ１１６がその伝送電力を増加させることができることを示し、負のＰＨＲ値は、ＵＥ１１６の電力が制限されることを示す。ＰＨＲは、ＰＵＳＣＨでそのデータの一部としてＵＥ１１６から伝送される媒体アクセス制御（Ｍｅｄｉｕｍ  Ａｃｃｅｓｓ  Ｃｏｎｔｒｏｌ、ＭＡＣ）要素に含まれる。
【００７２】
増加したネットワーク容量及びデータ速度に対する需要を満足させるための１つのメカニズムはネットワークの高密度化である。これはネットワークノード個数及びＵＥに対するこれらの近接性を増加させ、セル分割利益を提供するために小型セルを配置することによって実現される。小型セルの個数が増加し小型セルの配置が稠密になるほど、ハンドオーバ頻度及びハンドオーバ失敗率も大きく増加し得る。ＵＥ１１６は、大きなカバレッジ領域を提供するマクロセルに対するその無線リソース制御（Ｒａｄｉｏ  Ｒｅｓｏｕｒｃｅ  Ｃｏｎｔｒｏｌ、ＲＲＣ）接続を維持することができ、また、ＵＥ１１６は、データをオフロードするために小型セルに対する同時接続を有し得る。このようなデュアルコネクティビティは高いデータ速度を許容するとともに頻繁なハンドオーバを防止できる。マクロセルに対するＲＲＣ接続を維持することによって、小型セルとの通信は移動性管理、ページングのような制御所（Ｃｏｎｔｒｏｌ−Ｐｌａｃｅ、Ｃ−ｐｌａｃｅ）機能として最適化できる。また、小型セルはユーザデータプレーン（ｕｓｅｒ−ｄａｔａ  ｐｌａｎｅ、Ｕ−Ｐｌａｎｅ）通信専用であることもでき、その一方で、システム情報アップデートはマクロセルによってのみ提供され得る。
【００７３】
ｅＮＢ１０２のようなマクロセルのｅＮＢ及びｅＮＢ１０３のような小型セルのｅＮＢに対するＵＥ１１６のデュアルコネクティビティの重要な側面は、ｅＮＢ１０２とｅＮＢ１０３間のバックホールリンクの待機時間である。バックホールリンクの待機時間が特に０の場合、動作はキャリアアグリゲーション（Ｃａｒｒｉｅｒ  Ａｇｇｒｅｇａｔｉｏｎ、ＣＡ）と称され、ｅＮＢ１０２及びｅＮＢ１０３の例のように、ネットワークノードが同じ場所に配置されない場合、スケジューリング決定は中央エンティティによって行われて各々のネットワークノードに伝送されることができる。この場合、ｅＮＢ１０２及びｅＮＢ１０３は同じｅＮＢと見なされる場合もあり、各々のノードは単一グループに属すると見なされる場合もある。ネットワークノードが同じ場所に配置されることも可能である。また、ＵＥ１１６からのフィードバックは任意のネットワークノードで受信されてＵＥ１１６に対する適切なスケジューリング決定を容易にするために中央エンティティにマテリアル（ｍａｔｅｒｉａｌ）待機時間なしで伝達されることができる。しかし、バックホールリンクの待機時間が特に０でない場合、バックホールの待機時間はネットワークノードと中央スケジューリングエンティティ間の通信が存在する各々の時間を累積してＵＥ通信に対する許容できない遅延を導入するため、中央スケジューリングエンティティを使用することができない。この場合、各々のネットワークノードでスケジューリング決定が行われる必要がある。また、ネットワークノードからのスケジューリングと関連づけられたＵＥ１１６からのフィードバックシグナリングが同じネットワークノードによって受信される必要がある。０でないバックホール待機時間を有する運用はデュアルコネクティビティ（Ｄｕａｌ  Ｃｏｎｎｅｃｔｉｖｉｔｙ、ＤＣ）と称される。
【００７４】
ＳＦ  ｉに対して及びセル又はノード等の単一グループによるＣＡ運用に対して、ＵＥ１１６は、まず、もしあれば、ＰＲＡＣＨ伝送に電力を割り当て、
【数１８】
0006579521.tif 000019
に調整する（ＵＥ１１６がＳＦ  ｉでＰＲＡＣＨを有しない場合、
【数１９】
0006579521.tif 000020
次いで、ＵＥ１１６は、もしあれば、ＰＵＣＣＨ伝送に電力
【数２０】
0006579521.tif 000021
を割り当てる。ＵＥ１１６がＳＦ  ｉでＰＵＣＣＨを伝送しない場合、
【数２１】
0006579521.tif 000022
である。次いで、
【数２２】
0006579521.tif 000023
で、もしあれば、ＵＣＩを伝達するセルｊでＰＵＳＣＨに対して、ＵＥ１１６は、
【数２３】
0006579521.tif 000024
によって電力
【数２４】
0006579521.tif 000025
を割り当てる。
【数２５】
0006579521.tif 000026
の場合、ＵＥ１１６は、同じ因子Ｗ（ｉ）で各々の残りのＰＵＳＣＨ伝送の公称（ｎｏｍｉｎａｌ）伝送電力をスケーリングし、その式は下記のとおりである
【数２６】
0006579521.tif 000027
。
【００７５】
【数２７】
0006579521.tif 000028
【００７６】
【数２８】
0006579521.tif 000029
の場合、ＵＥ１１６は、残りのＰＵＳＣＨ伝送の１つ以上に対して
【数２９】
0006579521.tif 000030
に設定できる（ＲＥＦ３参照）。ＵＥ１１６がＳＦ  ｉでＰＵＳＣＨ上で非周期的ＣＳＩ（ａｐｅｒｉｏｄｉｃ  ＣＳＩ、Ａ−ＣＳＩ）及びＰＵＣＣＨ上でＰ−ＣＳＩを伝送するように構成される場合、ＵＥ１１６は、ＳＦ  ｉでＰ−ＣＳＩは伝送せずＡ−ＣＳＩのみを伝送する（ＲＥＦ３参照）。
【００７７】
ＣＡ運用の場合、ＵＥ１１６は、構成されたリソースの集合からのリソースを表示するＵＥ１１６に各々のＰＤＳＣＨ伝送をスケジューリングするＤＣＩフォーマットのうち少なくとも１つのフォーマットにあるフィールドから及び無線リソース制御（ＲＲＣ）シグナリングのような上位層シグナリングによってｅＮＢ１０２からＵＥ１１６に構成されたリソースの集合からＨＡＲＱ−ＡＣＫ情報を伝達するＰＵＣＣＨを伝送するリソースを決定できる（ＲＥＦ３参照）。周波数ドメインデュプレックス（Ｆｒｅｑｕｅｎｃｙ  Ｄｏｍａｉｎ  Ｄｕｐｌｅｘ、ＦＤＤ）運用の場合、フィールドはセカンダリセル（Ｓｅｃｏｎｄａｒｙ  ｃｅｌｌ、ＳＣｅｌｌ）で各々のＰＤＳＣＨ伝送をスケジューリングするＤＣＩフォーマットのＴＰＣフィールドで、プライマリセル（Ｐｒｉｍａｒｙ  ｃｅｌｌ、ＰＣｅｌｌ）でＰＤＳＣＨ伝送をスケジューリングするＤＣＩフォーマットのＴＰＣフィールドはＰＵＣＣＨ伝送のためのＴＰＣ命令を提供する（ＲＥＦ２及びＲＥＦ３参照）。時間ドメインデュプレックス（Ｔｉｍｅ  Ｄｏｍａｉｎ  Ｄｕｐｌｅｘ、ＴＤＤ）運用の場合、フィールドは再度ＤＣＩフォーマットでＤＬ割り当てインデックス（ＤＬ  Ａｓｓｉｇｎｍｅｎｔ  Ｉｎｄｅｘ、ＤＡＩ）が１より大きい値を有するＳＦでＰＣｅｌｌだけでなくＳＣｅｌｌで各々のＰＤＳＣＨ伝送をスケジューリングするＤＣＩフォーマットにあるＴＰＣフィールドで、１以上の値を有するＤＡＩフィールドを有しＰＣｅｌｌでＰＤＳＣＨ伝送をスケジューリングするＤＣＩフォーマットにあるＴＰＣフィールドはＰＵＣＣＨ伝送のためのＴＰＣ命令を提供する（ＲＥＦ２及びＲＥＦ３参照）。
【００７８】
ＣＡ運用とＤＣ運用の１つの相違点はＵＣＩ伝送に関する。セルグループのＣＡの場合、ＵＥ１１６は、セルグループからの任意のセルで伝送されたＰＵＳＣＨ又はセルグループのＰＣｅｌｌで伝送されたＰＵＣＣＨでＵＣＩをマルチプレキシングできる。ＤＣの場合、ＭｅＮＢとＳｅＮＢ間の非ゼロバックホール待機時間はＵＣＩ機能によって受容されることができず、このような理由のため、ＭｅＮＢの１つ以上のセルに対するＵＣＩはＭｅＮＢのセルに伝送され、ＳｅＮＢの１つ以上のセルに対するＵＣＩはＳｅＮＢのセルに伝送される。次いで、ＭｅＮＢによってサービングされたセルはマスターセルグループ（ＭＣＧ）と称され、ＳｅＮＢによってサービングされたセルはセカンダリセルグループ（ＳＣＧ）と称される。
【００７９】
ＣＡ運用とＤＣ運用の他の相違点は、ＵＬ電力制御の運用に関する。ＣＡの場合、同じスケジューリングエンティティがＵＬ伝送を調整することができるので、ＵＥ１１６は全ての各々のセルに対する伝送のためにＳＦ  ｉで最大に構成された伝送電
【数３０】
0006579521.tif 000031
まで使用することができる。ＤＣの場合、ＭｅＮＢとＳｅＮＢ間の非ゼロバックホール待機時間のため、各々のスケジューラは独立的で、スケジューリングはＵＥ１１６が
【数３１】
0006579521.tif 000032
を超えるＳＦ  ｉでＳＣＧの全てのセル及びＭＣＧの全てのセル上で伝送のための総電力を要求できるように行われる。この時、一部の伝送は中断又は減少された電力を使用するべきである。
【００８０】
ＤＣでの電力制限の運用可能性を最小化し少ない情報ペイロードを有する一部の伝送に対する信頼性を改善するために、ｅＮＢ１０２は、ＭＣＧで伝送のための
【数３２】
0006579521.tif 000033
をＵＥ１１６に構成できる
【数３３】
0006579521.tif 000034
。
【数３４】
0006579521.tif 000035
構成は、
【数３５】
0006579521.tif 000036
の百分率と同じ場合があり、したがって、
【数３６】
0006579521.tif 000037
に依存できる。ＳＦ  ｉでＵＥ１１６からの伝送の電力スケーリングは、ＭＣＧで伝送のための総必要電力が
【数３７】
0006579521.tif 000038
を超えたり、ＳＣＧで伝送のための総必要電力が
【数３８】
0006579521.tif 000039
を超え、ＭＣＧとＳＣＧの両方で伝送のための総必要電力が
【数３９】
0006579521.tif 000040
を超える場合に発生し得る。ＳＦ  ｉでＳＣＧ又はＭＣＧ上でＵＥ１１６からの伝送がそれぞれ
【数４０】
0006579521.tif 000041
より大きい総電力を必要とし、ＭＣＧとＳＣＧの両方で伝送のための総必要電力が
【数４１】
0006579521.tif 000042
を超えない場合、
【数４２】
0006579521.tif 000043
より大きい総電力がＭＣＧ又はＳＣＧに対する伝送のために使用されることができる。
【００８１】
ＣＡ運用とＤＣ運用のさらに他の相違点は、ＣＡと異なってＤＣの場合、ＭＣＧセルでＳＣＧセルに（又は反対に）クロスキャリア（ｃｒｏｓｓ−ｃａｒｒｉｅｒ）スケジューリングが行われることができない点にある。クロスキャリアスケジューリングは、ＤＣＩフォーマットスケジューリングを伝達するＰＤＣＣＨ、例えば、第２セルでのＰＤＳＣＨ伝送が第１セルに伝送される運用を示す。
【００８２】
他のＣＡ運用のためのＵＣＩ伝送メカニズムの短所は、ＵＥ１１６からの全てのＰＵＣＣＨ伝送はＰＣｅｌｌで発生するという点にある。ＰＣｅｌｌはＵＥ特定であるが、実際にＰＣｅｌｌは大半のＵＥに対して同じであり得る。例えば、移動性サポートを提供するマクロセル及びマクロセルに対するデータトラフィックオフロードを提供する多くの小型セルからなるネットワークで、ＰＣｅｌｌは移動性サポートを必要とする全てのＵＥに対するマクロセルであり得る。この時、ＰＵＣＣＨ伝送のためのＰＣｅｌｌ（マクロセル）で必要な総ＵＬリソースはマクロセルに対する総ＵＬリソースの相当な比率になることができ、小型セルのＵＬリソースは大半がＰＵＣＣＨ伝送のために利用されていない状態で残る。このような短所を回避するために、ＤＣ運用と類似の概念がＣＡ運用でＵＥ１１６に構成されたセルがＭＣＧ及びＳＣＧに分離されることができ、ＵＥ１１６がＳＣＧのプライマリＳＣｅｌｌ（ＰＳｃｅｌｌ）でＰＵＣＣＨを伝送するＰＵＣＣＨ伝送のためのＣＡ運用で適用され得る。
【００８３】
ＰＣｅｌｌとＰＳＣｅｌｌの両方に対するＣＡ運用で、ＵＥ１１６からのＰＵＣＣＨ伝送をサポートするステップからの第１結果は、ＵＥ１１６が
【数４３】
0006579521.tif 000044
を超えるＳＦ  ｉで総伝送電力を必要とする場合、ＭＣＧ又はＳＣＧ上で伝送のための、又はＰＵＣＣＨ又はＰＵＳＣＨ伝送に対する電力割り当ての優先順位を決めるための要件である。
【００８４】
第２結果は、ＤＣＩフォーマット３／３Ａ伝送がＳＣＧのＰＳＣｅｌｌにサポートされるＤＣ運用と異なって、従来のＣＡメカニズムは、ＤＣＩフォーマット３／３Ａによって提供されたＴＰＣ命令が各々のＰＤＣＣＨによってスケジューリングされないＭＣＧに対するＰＵＳＣＨ伝送又はＰＣｅｌｌに対するＰＵＣＣＨ伝送のためにのみ利用可能なため、ＰＤＣＣＨによってスケジューリングされないＳＣＧセルに対するＰＵＳＣＨ伝送又はＰＳＣｅｌｌに対するＰＵＣＣＨ伝送のためのＴＰＣ命令のシグナリングをサポートしない。ｅＮＢ１０２は、ＰＣｅｌｌに対するＵＥ共通検索空間のリソースでのみＤＣＩフォーマット３／３Ａを伝送する。ＤＣＩフォーマット３／３ＡによるＰＵＣＣＨ伝送のためのＴＰＣ命令は、ＰＤＳＣＨ受信をスケジューリングするＤＣＩフォーマットの検索と関連づけられないＵＥ１１６からの周期的ＵＣＩ伝送、又はＵＥ１１６による否定応答の受信によってトリガされたＰＵＳＣＨ伝送又はＵＥ１１６からの半永久的にスケジューリングされたＰＵＳＣＨ伝送のようにＤＣＩフォーマットによってスケジューリングされないＰＵＳＣＨ伝送に特に役立つ。
第３結果は、ＵＥ１１６がＳＣＧのＰＳＣｅｌｌに対する追加的なＰＵＣＣＨ伝送によってＳＣＧなしのＣＡ運用の場合よりＳＦ  ｉでより多くのチャネルを伝送できるため、伝送電力要件及びスペクトル放出での増加である。
【００８５】
本開示の１つ以上の実施例は、ネットワークが第１セルグループと第２セルグループ間の通信遅延によって第１セルグループ又は第２セルグループに対するＵＥからの伝送電力を制御するためにＵＥに媒介変数を構成できるようにするためのメカニズムを提供する。また、本開示の１つ以上の実施例は、ＵＥが各々の公称伝送電力を減少させる必要がある場合、ＵＣＩを伝達するチャネルを伝送するか否かを決定するためにＣＡ運用で第１セルグループ又は第２セルグループで構成されたＵＥにメカニズムを提供する。また、本開示の１つ以上の実施例は、ＣＡ運用のためにＵＥに構成される第１セルグループのセル又は第２セルグループのセルに対するＰＵＳＣＨ伝送又はＰＵＣＣＨ伝送のためにＤＣＩフォーマット３／３ＡからＴＰＣ命令を受信するＵＥ及びＴＰＣ命令を伝送するネットワークにメカニズムを提供する。最後に、本開示の１つ以上の実施例は、ＵＥがＣＡ運用のために構成される場合、ＵＣＩを伝達するためにＵＥが伝送する複数のチャネル、第１セルグループのセルに対するＰＵＣＣＨ伝送、及び第２セルグループのセルに対するＰＵＣＣＨ伝送を減少させるためのメカニズムを提供する。
【００８６】
次に、他のＣＡ運用と同様に、ＵＥ１１６のようなＵＥからのＰＲＡＣＨ伝送は、ＰＲＡＣＨがネットワークとの接続を維持するためのＵＥ１１６に対する基本チャネルになるようにＵＥ１１６からの信号伝送又は任意の他のチャネルを介した電力割り当てのために常に優先されると仮定する。
【００８７】
本開示の実施例に対する制限ではないが、説明の簡潔性のために、一般に、ＵＥ１１６がセルグループ（ＣＧ）のセルでＰＵＳＣＨを伝送する場合、ＵＥ１１６が同じＳＦでＣＧの同じ又は互いに異なるセル上でＰＵＣＣＨを伝送しないと仮定する。また、ＵＥ１１６は、半永久的にスケジューリングされた（Ｓｅｍｉ−Ｐｅｒｓｉｓｔｅｎｔｌｙ  Ｓｃｈｅｄｕｌｅｄ、ＳＰＳ）ＰＤＳＣＨの解除を表示するＤＣＩフォーマットの検出に応じてＨＡＲＱ−ＡＣＫ情報を生成できるが、簡潔性のために、これは明示的に言及されず、次の説明はＵＥ１１６がＳＰＳ  ＰＤＳＣＨに応答したり各々のＰＤＳＣＨ伝送をスケジューリングするＰＤＣＣＨ検出に応じてＨＡＲＱ−ＡＣＫ情報を生成する点を考慮する。
【実施例１】
【００８８】
実施例１：ＵＬ伝送電力
第１実施例は、ＳＣＧのセル又はＭＣＧのセル上でＰＵＣＣＨ伝送又はＰＵＳＣＨ伝送のための電力のＣＡ運用でＵＥ１１６による決定を考慮する。ＤＣ運用と異なり、ＵＥ１１６に対する伝送地点が同じ位置にあるか、または伝送地点の間のバックホールリンクの待機時間が実質的に無視できる時、ＣＡ運用の場合、単一スケジューリングエンティティが存在できる。この時、ｅＮＢ１０２がＳＦ  ｉでＳＣＧに対する伝送電力の予約又はＭＣＧに対する伝送電力の予約のために、ＵＥ１１６を構成する必要はない。同等に、
【数４４】
0006579521.tif 000045
である。
【００８９】
まず、ＵＥ１１６は、例えば、ＰＵＳＣＨに対する式１、ＰＵＣＣＨに対する式２又はＳＲＳに対する式３、又はＰＲＡＣＨに対する式４によってチャネル又は信号伝送に対する電力を決定する。各々のこのような伝送電力は、各々のチャネル又は信号に対する公称伝送電力と称される。次に、ＵＥ１１６は、ＳＦ  ｉでのＰＲＡＣＨ伝送がないと仮定する；あるいは、ＵＥ１１６は、ＰＲＡＣＨ伝送に対する電力割り当てを優先するために、
【数４５】
0006579521.tif 000046
に代替されることができ、ここで、
【数４６】
0006579521.tif 000047
は、ＳＦ  ｉでのＭＣＧ及びＳＣＧに対するＰＲＡＣＨ伝送のための総電力である。
【００９０】
ＳＦ  ｉでのＵＥ１１６に対する全体公称伝送電力が
【数４７】
0006579521.tif 000048
を超えない場合、ＵＥ１１６は、その公称電力で各々のチャネル又は信号を伝送する（すなわち、実際の伝送電力は公称伝送電力と同じである）。ＳＦ  ｉでのＵＥ１１６に対する全体公称伝送電力が
【数４８】
0006579521.tif 000049
を超える場合、ＵＥ１１６は、少なくとも１つのチャネル又は信号の実際伝送電力を、０まで含み、減少させる必要がある。次に、これはＵＥ１１６がＳＦ  ｉでＭＣＧ又はＳＣＧにＵＣＩを伝送するか否かによってさらに考慮され、常に、ＳＦ  ｉでの全体公称伝送電力は
【数４９】
0006579521.tif 000050
を超えると仮定する。
【００９１】
ＵＥは、ＰＣｅｌｌ又はＰＳＣｅｌｌ上でＰＵＣＣＨでのみＵＣＩを伝送する。
【００９２】
ＵＥ１１６がＳＦ  ｉでの任意のＰＵＳＣＨ伝送でＵＣＩをマルチプレキシングせず、ＵＥ１１６がＰＣｅｌｌとＰＳＣｅｌｌの両方に対するＰＵＣＣＨ伝送を有さない場合、ＵＥ１１６は、式５の条件を満足するように（０まで含み）
【数５０】
0006579521.tif 000051
をスケーリングする。
【００９３】
【数５１】
0006579521.tif 000052
【００９４】
式中、ＵＥ１１６がＰＣｅｌｌにＰＵＣＣＨを伝送する場合はｘ＝０、ＵＥ１１６がＰＳＣｅｌｌにＰＵＣＣＨを伝送する場合はｘ＝１で、
【数５２】
0006579521.tif 000053
は、それぞれＳＦ  ｉでの
【数５３】
0006579521.tif 000054
の線形値で、
【数５４】
0006579521.tif 000055
の範囲を有するセルｃに対する
【数５５】
0006579521.tif 000056
のスケーリング因子である。ＵＥ１１６がＳＦ  ｉでＰＵＣＣＨを伝送しない場合、
【数５６】
0006579521.tif 000057
である。
【００９５】
ＵＥは、ＰＣｅｌｌ及びＰＳＣｅｌｌにＰＵＣＣＨでのみＵＣＩを伝送する。
【００９６】
ＵＥ１１６がＳＦ  ｉでの任意のＰＵＳＣＨ伝送でＵＣＩをマルチプレキシングせず、ＵＥ１１６がＰＣｅｌｌとＰＳＣｅｌｌの両方にＰＵＣＣＨを伝送する場合及び
【数５７】
0006579521.tif 000058
の場合、ＵＥ１１６は、式６の条件を満足するように
【数５８】
0006579521.tif 000059
をスケーリングする。
【００９７】
【数５９】
0006579521.tif 000060
【００９８】
図９は、本開示による、ＵＥがＰＣｅｌｌに対するＰＵＣＣＨ伝送、ＰＳＣｅｌｌに対するＰＵＣＣＨ伝送、ＵＣＩを含まないＰＵＳＣＨ伝送を有し、ＵＥに対する全体公称伝送電力がＳＦでの最大伝送電力を超える場合のＳＦでのＵＥによる電力割り当てを図示する。
【００９９】
ＳＦ  ｉで、ＵＥ１１６は、ＰＣｅｌｌに対するＰＵＣＣＨ伝送のための公称電力
【数６０】
0006579521.tif 000061
、ＰＳＣｅｌｌに対するＰＵＣＣＨ伝送のための公称電力
【数６１】
0006579521.tif 000062
、及びＵＣＩを含まない各々のＰＵＳＣＨ伝送のための公称電力を決定する。また、ＵＥ１１６は、ＳＦ  ｉでのＰＵＣＣＨ伝送及びＰＵＳＣＨ伝送のための全体公称伝送電力が
【数６２】
0006579521.tif 000063
を超えるか否か及び
【数６３】
0006579521.tif 000064
であるかを判断する（図９の９１０）。ＵＥ１１６は、まず、ＰＣｅｌｌに対するＰＵＣＣＨのための公称伝送電力
【数６４】
0006579521.tif 000065
及びＰＳＣｅｌｌに対するＰＵＣＣＨのための公称伝送電力
【数６５】
0006579521.tif 000066
を割り当てる（図９の９２０）。その後、ＵＥ１１６は、
【数６６】
0006579521.tif 000067
になるように、一部のＰＵＳＣＨに対する、
【数６７】
0006579521.tif 000068
まで含み、公称ＰＵＳＣＨ伝送電力を
【数６８】
0006579521.tif 000069
でスケーリングする（図９の９３０）。
【０１００】
ＵＥ１１６がＳＦ  ｉでのどのＰＵＳＣＨ伝送でもＵＣＩをマルチプレキシングしない場合、例えば、ＵＥ１１６がＳＦ  ｉでどのＰＵＳＣＨ伝送も有さず、ＵＥ１１６がＰＣｅｌｌとＰＳＣｅｌｌの両方に対するＰＵＣＣＨ伝送を有する場合及び
【数６９】
0006579521.tif 000070
の場合、次の代案が考慮される。
【０１０１】
第１代案で、ＵＥ１１６は、２つのＰＵＣＣＨのうち１つを伝送せず、
【数７０】
0006579521.tif 000071
が伝送されたＰＵＣＣＨのための公称電力である式５の条件を満足させるために
【数７１】
0006579521.tif 000072
をスケーリングする。ＵＥ１１６による伝送するＰＵＣＣＨの選択はＵＣＩ類型に依存することができ、ネットワークによって構成されたり予め決定されることができる。例えば、予め決定された方式で、ＨＡＲＱ−ＡＣＫ／ＳＲの伝送はＣＳＩの伝送より優先されることができる。ＵＥ１１６がＭＣＧ及びＳＣＧに伝送する同じＵＣＩ類型を有する場合、ＭＣＧに対するＵＣＩ伝送を優先することができる。
【０１０２】
第２代案で、ＵＥ１１６は、その公称電力で第１ＰＵＣＣＨを伝送し、減少された電力で第２ＰＵＣＣＨを伝送し、他のチャネルや信号は伝送しない。第１ＰＵＣＣＨ及び第２ＰＵＣＣＨの選択は（ｅＮＢ１０２によって構成されるかまたは各々のＵＣＩ類型によって予め決定された）第１代案と同じ場合がある。第２ＰＵＣＣＨの実際伝送電力は、
【数７２】
0006579521.tif 000073
で与えられ、ここで、ｘはｙと異なる。
【０１０３】
また、ＵＥ１１６は、第１代案と第２代案の間で選択できる。例えば、ＵＥ１１６がｅＮＢ１０２が第２ＰＵＣＣＨでＵＣＩを大きな確率で不正確に検出するほど第２ＰＵＣＣＨに対する電力減少が大きいと判断した場合、ＵＥ１１６は、第１代案を適用することができ、そうでない場合は、ＵＥ１１６は、第２代案を適用することができる。
【０１０４】
ＵＥは、ＰＵＳＣＨでＵＣＩを伝送し、ＰＵＣＣＨでＵＣＩを伝送する。
【０１０５】
ＳＦ  ｉで、ＵＥ１１６が、ｘ１はｘ２と互いに異なる、ＣＧ  ｘ１のセル
【数７３】
0006579521.tif 000074
に対するＵＣＩを含むＰＵＳＣＨ伝送及びＣＧ  ｘ２に対するＰＵＣＣＨ伝送を有する場合、及び
【数７４】
0006579521.tif 000075
の場合、ＵＥ１１６は、式７の条件を満足するように
【数７５】
0006579521.tif 000076
をスケーリングする。
【０１０６】
【数７６】
0006579521.tif 000077
【０１０７】
【数７７】
0006579521.tif 000078
の場合、次の代案が考慮される。
【０１０８】
第１代案で、ＵＥ１１６は、ＰＵＣＣＨ、又はＵＣＩを含むＰＵＳＣＨを伝送しない。ＰＵＣＣＨを伝送するか、又はＵＣＩを含むＰＵＳＣＨを伝送するかの選択はｅＮＢ１０２によって構成されたり各々のＵＣＩ類型に基づいて予め決定されることができる。例えば、ＨＡＲＱ−ＡＣＫの伝送はＣＳＩの伝送より優先されることができ、又は（ＰＵＣＣＨでの）ＳＲの伝送が（ＰＵＳＣＨでの）Ａ−ＣＳＩの伝送より優先されることができる。ＵＥ１１６がＭＣＧ及びＳＣＧに伝送する同じＵＣＩ類型を有する場合、ＵＥ１１６は、ＭＣＧに対するＵＣＩ伝送が優先される。したがって、ＵＥ１１６がＳＦ  ｉでＰ−ＣＳＩは伝送せずＡ−ＣＳＩのみを伝送する１つのＣＧでＣＡ運用のために構成される場合とは異なって、ＵＥ１１６がそれぞれＳＦ  ｉでＳＣＧにＡ−ＣＳＩ、又はＭＣＧにＡ−ＣＳＩ又はＰ−ＣＳＩを伝送するように構成される場合、ＵＥ１１６は、それぞれＳＣＧ又はＭＣＧにＡ−ＣＳＩを伝送し、ＭＣＧ又はＳＣＧにＰ−ＣＳＩを伝送し、ＵＥ１１６は、ＳＣＧのセルに対するＰＵＳＣＨでのＡ−ＣＳＩ伝送よりＭＣＧのＰＣｅｌｌに対するＰ−ＣＳＩ伝送に優先的に電力を割り当てる。
【０１０９】
ＵＥ１１６がＵＣＩを含むＰＵＳＣＨの伝送を中断した後、
【数７８】
0006579521.tif 000079
の場合、
ＵＥ１１６は、それらの各々の公称電力ですべての他のチャネルを伝送でき、あるいは、
【数７９】
0006579521.tif 000080
の場合、ＵＥ１１６は、
【数８０】
0006579521.tif 000081
になるように各々のＰＵＳＣＨ伝送電力をスケーリングする。
【０１１０】
ＵＥ１１６がＰＵＣＣＨの伝送を中断した後、
【数８１】
0006579521.tif 000082
の場合、ＵＥ１１６は、それらの各々の公称電力ですべての他のチャネルを伝送でき、あるいは、
【数８２】
0006579521.tif 000083
の場合、ＵＥ１１６は、
【数８３】
0006579521.tif 000084
になるように各々のＰＵＳＣＨ伝送電力をスケーリングする。
【０１１１】
第２代案で、ＵＥ１１６は、ＰＵＣＣＨ及びＵＣＩを含むＰＵＳＣＨの両方を伝送し、他のチャネルや信号は伝送しない。ＰＵＣＣＨ又はＵＣＩを含むＰＵＳＣＨは減少された電力で伝送される。減少された電力で伝送するチャネルの選択は上述のように各々のＵＣＩ類型に依存する、またはｅＮＢ１０２によって構成され、常にＰＵＳＣＨであり得る。
【０１１２】
ＵＥ１１６が制限された電力の場合、ＵＥ１１６が減少された電力でＰＵＳＣＨを伝送する場合、ｅＮＢ１０２は、ｅＮＢ１０２がＰＵＳＣＨに伝送されたデータを不正確に受信する場合（ＨＡＲＱ−ＡＣＫ情報がＣＲＣによって保護されずｅＮＢ１０２がＨＡＲＱ−ＡＣＫ情報が正確に検出されるか不正確に検出されるか判らない場合）ＰＵＳＣＨでＨＡＲＱ−ＡＣＫ情報を削除できる。ＵＥ１１６がＵＣＩを含むＰＵＳＣＨでＡ−ＣＳＩのみを伝送する場合、ｅＮＢ１０２が各々のＣＲＣ検査に基づいて不正確なＡ−ＣＳＩ受信を決定できるため、ＵＥ１１６は各々の伝送電力を減少させる。
【０１１３】
ＵＥ１１６がＵＣＩを含むＰＵＳＣＨの伝送電力を減少させる場合、各々の実際伝送電力は
【数８４】
0006579521.tif 000085
に決定されることができる。ＵＥ１１６がＰＵＣＣＨの伝送電力を減少させる場合、各々の実際伝送電力は
【数８５】
0006579521.tif 000086
に決定されることができる。
【０１１４】
また、ＵＥ１１６は、第１代案と第２代案の間で選択する。例えば、より高い優先順位を有するＵＣＩ類型が同じ場合、ＵＥ１１６がＭＣＧに基づくか、又はＵＣＩ類型に基づいたＰＵＣＣＨ又はＰＵＳＣＨ優先順位に従って、ＰＵＣＣＨ又はＰＵＳＣＨに対する電力減少がｅＮＢ１０２が各々のＵＣＩを大きな確率で不正確に検出するほど大きいと判断した場合、ＵＥ１１６は、第１代案を適用し、そうでない場合は、ＵＥ１１６は、第２代案を適用する。
【０１１５】
図１０は、本開示による、ＵＥがＰＵＣＣＨ伝送、ＵＣＩを含むＰＵＳＣＨ伝送、他のＰＵＳＣＨ伝送を有し、ＵＣＩを含むＰＵＳＣＨ伝送のための公称電力とＰＵＣＣＨ伝送のための公称電力の合計がＳＦでの最大伝送電力を超える場合のＳＦでのＵＥによる例示的な電力割り当てを図示する。
【０１１６】
ＵＥ１１６は、ＳＦ  ｉでＰＵＣＣＨ伝送のための公称電力
【数８６】
0006579521.tif 000087
、ＵＣＩを含むＰＵＳＣＨ伝送のための公称電力
【数８７】
0006579521.tif 000088
、及びＵＣＩを含まない他のＰＵＳＣＨ伝送のための公称電力を決定する。また、ＵＥ１１６は、
【数８８】
0006579521.tif 000089
であるかを判断する（図１０の１０１０）。ＵＣＩ類型、又はＭＣＧ及びＳＣＧで最も高い優先順位を有する同じＵＣＩの場合にはＭＣＧ優先順位に従って、ＵＥ１１６は、例えば、ＰＵＣＣＨはＨＡＲＱ−ＡＣＫ／ＳＲを含み、ＰＵＳＣＨはＡ−ＣＳＩのみを含む場合、その公称電力
【数８９】
0006579521.tif 000090
でＰＵＣＣＨを伝送し、
【数９０】
0006579521.tif 000091
の減少された電力でＰＵＳＣＨを伝送するか否かを判断することができ（図１０の１０３０）、又は、例えば、ＰＵＳＣＨ伝送はＨＡＲＱ−ＡＣＫを含み、ＰＵＣＣＨはＰ−ＣＳＩを含む場合、ＰＵＣＣＨ伝送を除外／電力スケーリングしその公称電力
【数９１】
0006579521.tif 000092
でＰＵＳＣＨを伝送するか否かを判断できる（図１０の１０４０）。ＵＥ１１６は、
【数９２】
0006579521.tif 000093
の場合、追加的にスケーリングされたそれらの電力を有する他のＰＵＳＣＨ伝送に
【数９３】
0006579521.tif 000094
の残りの電力を割り当てることができる。
【０１１７】
ＵＥはＳＣＧセルにはＰＵＳＣＨで、及びＭＣＧセルにはＰＵＳＣＨでＵＣＩを伝送する。
【０１１８】
ＵＥ１１６がＭＣＧセルｊ１に対するＵＣＩを有するＰＵＳＣＨ伝送及びＳＣＧセルｊ２に対するＵＣＩを有するＰＵＳＣＨ伝送を有し、
【数９４】
0006579521.tif 000095
の場合、ＵＥ１１６は、式８での条件を満足するように
【数９５】
0006579521.tif 000096
をスケーリングする。
【０１１９】
【数９６】
0006579521.tif 000097
【数９７】
0006579521.tif 000098
の場合、次の代案が考慮される。
【０１２０】
第１代案で、ＵＥ１１６は、ＭＣＧセルｊ１にＵＣＩを有するＰＵＳＣＨ又はＳＣＧセルｊ２にＵＣＩを有するＰＵＳＣＨを伝送しない。ＵＥ１１６による伝送するＵＣＩを有するＰＵＳＣＨの選択は、高い優先順位を有する同じＵＣＩ類型の場合にはＭＣＧが優先され、上記のような優先順位を有する、２つのＰＵＳＣＨに伝達されたＵＣＩ類型に依存できるかまたは、各々のＵＣＩ類型に対してネットワークによって構成されることができる。ＵＣＩを含むＰＵＳＣＨの伝送を除いた後、残りのＰＵＳＣＨに対する全体公称伝送電力が
【数９８】
0006579521.tif 000099
以下の場合、ＵＥ１１６は、それらの公称電力で残りのＰＵＳＣＨを伝送する。ＵＣＩを含むＰＵＳＣＨの伝送を除いた後、残りのＰＵＳＣＨに対する全体公称伝送電力が
【数９９】
0006579521.tif 000100
を超える場合、ＵＥ１１６は、ｘ＝１又はＸ＝２である条件
【数１００】
0006579521.tif 000101
を満足するようにＵＣＩを含まない各々の
【数１０１】
0006579521.tif 000102
をスケーリングする。
【０１２１】
第２代案で、ＵＥ１１６は、その公称電力でセル
【数１０２】
0006579521.tif 000103
にＵＣＩを含む１つのＰＵＳＣＨを伝送し、減少された電力
【数１０３】
0006579521.tif 000104
（ここで、ｘ１とｘ２は異なる）でセル
【数１０４】
0006579521.tif 000105
にＵＣＩを含む他のＰＵＳＣＨを伝送する。その公称電力で伝送するＵＣＩを含むＰＵＳＣＨに対する選択は、上記のようにＵＣＩ類型に基づく、あるいは各々のＵＣＩ類型に対してネットワークによってＵＥ１１６に構成されることができる。ＵＥ１１６は、もしあれば、他のＰＵＳＣＨを伝送しない。
【０１２２】
第３代案で、第１及び第２代案は、
【数１０５】
0006579521.tif 000106
に結合されることができ、これはセル
【数１０６】
0006579521.tif 000107
に対して
【数１０７】
0006579521.tif 000108
に設定されようと、
【数１０８】
0006579521.tif 000109
に対しては
【数１０９】
0006579521.tif 000110
に設定され、全ての他のセルに対しては
【数１１０】
0006579521.tif 000111
に設定されようと、ＵＥ具現選択又はＵＥ１１６に対するネットワーク構成であり得る。例えば、ＵＥ１１６がより高い優先順位を有するＵＣＩ類型が同じ場合、ＭＣＧに基づくかまたはＵＣＩに基づいた優先順位付けによって第１ＰＵＳＣＨ又は第２ＰＵＳＣＨに対する電力減少がｅＮＢ１０２が各々のＵＣＩを大きな確率で不正確に検出するほど十分に大きいと判断すると、ＵＥ１１６は、第１代案を適用することができ、あるいは、ＵＥ１１６は、第２代案を適用することができる。例えば、電力を減少させる必要があるＰＵＳＣＨ伝送でＡ−ＣＳＩのようなＵＣＩがＣＲＣによって保護される場合、ＵＥ１１６は、減少された電力でＰＵＳＣＨを伝送し、あるいは、電力を減少させる必要があるＰＵＳＣＨ伝送でＨＡＲＱ−ＡＣＫがＣＲＣによって保護されない場合、ＵＥ１１６は、ＰＵＳＣＨ伝送を除外できる。
【０１２３】
図１１は、本開示による、ＵＥがＵＣＩを含む第１ＰＵＳＣＨ伝送、ＵＣＩを含む第２ＰＵＳＣＨ伝送、他のＰＵＳＣＨ伝送を有し、第１ＰＵＳＣＨ伝送のための公称電力と第２ＰＵＳＣＨ伝送のための公称電力の合計がＳＦでの最大伝送電力を超える場合のＳＦでのＵＥによる例示的な電力割り当てを図示する。
【０１２４】
ＳＦ  ｉで、ＵＥ１１６は、
【数１１１】
0006579521.tif 000112
の公称電力による第１セルでのＵＣＩを含む第１ＰＵＳＣＨ伝送、
【数１１２】
0006579521.tif 000113
の公称電力による第２セルでのＵＣＩを含む第２ＰＵＳＣＨ伝送を有し、
【数１１３】
0006579521.tif 000114
及び第１セルでのＰＵＳＣＨ伝送に対する電力割り当てが優先されると決定する（図１１の１１１０）。ネットワークによる構成又はＵＣＩ類型によって、ＵＥ１１６は、第２セルでのＰＵＳＣＨ伝送を中断するか、その公称電力に比べて減少された電力で、第２セルでＰＵＳＣＨを伝送するかを決定できる。ＵＥ１１６が第２セルでＰＵＳＣＨを伝送する場合、例えば、ＵＥがＡ−ＣＳＩのみを含む場合、ＵＥ１１６は、減少された電力
【数１１４】
0006579521.tif 000115
を適用する（図１１の１１３０）。ＵＥが第２セルでＰＵＳＣＨを伝送しない場合、例えば、ＨＡＲＱ−ＡＣＫを含む場合、ＵＥ１１６は、
【数１１５】
0006579521.tif 000116
の場合、追加的にスケーリングされたそれらの電力を有する他のＰＵＳＣＨ伝送に
【数１１６】
0006579521.tif 000117
の残りの電力を割り当てる。
【実施例２】
【０１２５】
実施例２：ＰＳｃｅｌｌに対するＰＵＣＣＨ伝送及びＰＣｅｌｌに対するＰＵＣＣＨ伝送のためのＴＰＣ命令
第２実施例で、ＵＥによってＴＰＣ−ＰＵＣＣＨ−ＲＮＴＩでスクランブルされたＣＲＣを有するＤＣＩフォーマット３／３ＡでのＴＰＣ命令の使用が上位層シグナリングによってＵＥにｅＮＢから構成される。次の代案の各々で、ＵＥは、２つの別途のＣＬ  ＰＣプロセス、すなわち、ＰＣｅｌｌに対するＰＵＣＣＨ伝送のための第１プロセス及びＰＳＣｅｌｌに対するＰＵＣＣＨ伝送のための第２プロセスを有すると仮定する。簡潔性のために、同じ原理が適用されるため、ＵＥによってＴＰＣ−ＰＵＳＣＨ−ＲＮＴＩでスクランブルされたＣＲＣを有するＤＣＩフォーマット３／３ＡでのＴＰＣ命令の使用が上位層シグナリングによってｅＮＢから構成されるということは記述されない。
【０１２６】
第１代案で、ＰＣｅｌｌに対してＰＤＣＣＨで伝送されたＤＣＩフォーマット３／３ＡでのＴＰＣ命令はＰＣｅｌｌに対するＰＵＣＣＨ伝送のためにのみ適用される。ＴＰＣ−ＰＵＣＣＨ−ＲＮＴＩでスクランブルされたＣＲＣを有するＤＣＩフォーマット３／３Ａを検出すると、ＵＥ１１６は、ＰＣｅｌｌに対するＰＵＣＣＨ伝送のためにのみ各々のＴＯＣ命令を適用する。ＵＥ１１６は、ＰＳＣｅｌｌに対するＰＵＣＣＨ伝送に対するＴＰＣ命令を考慮しない。ＤＣ運用と同様に、追加的なＤＣＩフォーマット３／３Ａ伝送は、ＰＳＣｅｌｌに対するＰＵＣＣＨ伝送のためのＴＰＣ命令を提供するためにＰＳＣｅｌｌに対してサポートされることができる。ＰＣｅｌｌに対してＰＤＣＣＨで伝送されたＤＣＩフォーマット３／３Ａに対するＴＰＣ−ＰＵＣＣＨ−ＲＮＴＩの構成は、ＰＳＣｅｌｌに対してＰＤＣＣＨで伝送されたＤＣＩフォーマット３／３Ａに対するＴＰＣ−ＰＵＣＣＨ−ＲＮＴＩの構成から分離（独立）されることができる。
【０１２７】
第２代案で、ｅＮＢ１０２は、ＰＣｅｌｌに対するＰＵＣＣＨ伝送のためのＴＰＣ命令を伝達するＤＣＩフォーマット３／３ＡのＣＲＣをスクランブルするための第１ＴＰＣ−ＰＵＣＣＨ−ＲＮＴＩ及びＰＳＣｅｌｌに対するＰＵＣＣＨ伝送のためのＴＰＣ命令を伝達するＤＣＩフォーマット３／３ＡのＣＲＣをスクランブルするための、第１ＴＰＣ−ＰＵＣＣＨ−ＲＮＴＩと互いに異なる、第２ＴＰＣ−ＰＵＣＣＨ−ＲＮＴＩでＵＥを構成する。ＤＣ運用と異なって、第１ＴＰＣ−ＰＵＣＣＨ−ＲＮＴＩを有するＤＣＩフォーマット３／３Ａ及び第２ＴＰＣ−ＰＵＣＣＨ−ＲＮＴＩを有するＤＣＩフォーマットがいずれもＰＣｅｌｌに伝送される。第１ＴＰＣ−ＰＵＣＣＨ−ＲＮＴＩでスクランブルされたＣＲＣを有するＤＣＩフォーマット３／３Ａを検出すると、ＵＥ１１６は、ＰＣｅｌｌに対するＰＵＣＣＨ伝送のためにのみ各々のＴＰＣ命令を適用する。第２ＴＰＣ−ＰＵＣＣＨ−ＲＮＴＩでスクランブルされたＣＲＣパリティビットを有するＤＣＩフォーマット３／３Ａを検出すると、ＵＥ１１６は、ＰＳＣｅｌｌに対するＰＵＣＣＨ伝送のためにのみ各々のＴＰＣ命令を適用する。
【０１２８】
第３代案で、ＤＣ運用と異なって、ｅＮＢ１０２は、ＴＰＣ−ＰＵＣＣＨ−ＲＮＴＩ及びＤＣＩフォーマット３／３ＡでＰＣｅｌｌに対するＴＰＣ命令の二進要素に対する第１位置及びＤＣＩフォーマット３／３ＡでＰＳＣｅｌｌに対するＴＰＣ命令の二進要素に対する第２位置でＵＥ１１６を構成する。構成は共同であるか、又は分離されることができる。ＰＣｅｌｌでＴＰＣ−ＰＵＣＣＨ−ＲＮＴＩでスクランブルされたＣＲＣを有するＤＣＩフォーマット３／３Ａを検出すると、ＵＥ１１６は、ＰＣｅｌｌでＰＵＣＣＨ伝送のための第１位置でＤＣＩフォーマット３／３Ａの二進要素から獲得したＴＰＣ命令を適用し、ＰＳＣｅｌｌに対するＰＵＣＣＨ伝送のための第２位置でＤＣＩフォーマット３／３Ａの二進要素から獲得したＴＰＣ命令を適用する。
【０１２９】
図１２は、本開示による、ＰＳＣｅｌｌに対するＰＵＣＣＨ伝送のための電力及びＰＣｅｌｌに対するＰＵＣＣＨ伝送のための電力の決定のためのＤＣＩフォーマット３／３ＡでのＴＰＣ命令のＵＥによる使用を図示する。
【０１３０】
第１代案で、ｅＮＢ１０２は、ＤＣＩフォーマット３／３Ａに対する１つのＴＰＣ−ＰＵＣＣＨ−ＲＮＴＩ及び各々のＴＰＣ命令に対する１つの位置でＵＥ１１６を構成する（図１２の１２１０）。ＴＰＣ−ＰＵＣＣＨ−ＲＮＴＩでスクランブルされたＣＲＣを有するＤＣＩフォーマット３／３Ａを検出すると、ＵＥ１１６は、ＰＣｅｌｌに対するＰＵＣＣＨ伝送のためのＴＰＣ命令を適用し、ＰＳＣｅｌｌに対するＰＵＣＣＨ伝送のためのＴＰＣ命令を無視する（図１２の１２１５）。
【０１３１】
第２代案で、ｅＮＢ１０２は、ＤＣＩフォーマット３／３Ａに対する２つのＴＰＣ−ＰＵＣＣＨ−ＲＮＴＩ及び各々のＴＰＣ−ＰＵＣＣＨ−ＲＮＴＩに対してＤＣＩフォーマット３／３ＡでＴＰＣ命令に対する１つの各々の位置でＵＥ１１６を構成する（図１２の１２２０）。ＰＣｅｌｌに対する第１ＴＰＣ−ＰＵＣＣＨ−ＲＮＴＩでスクランブルされたＣＲＣを有するＤＣＩフォーマット３／３Ａを検出すると、ＵＥ１１６は、ＰＣｅｌｌに対するＰＵＣＣＨ伝送のための各々の位置でＴＰＣ命令を適用し、ＰＣｅｌｌに対する第２ＴＰＣ−ＰＵＣＣＨ−ＲＮＴＩでスクランブルされたＣＲＣを有するＤＣＩフォーマット３／３Ａを検出すると、ＵＥ１１６は、ＰＳＣｅｌｌに対するＰＵＣＣＨ伝送のための各々の位置でＴＰＣ命令を適用する（図１２の１２２５）。
【０１３２】
第３代案で、ｅＮＢ１０２は、ＤＣＩフォーマット３／３Ａに対する１つのＴＰＣ−ＰＵＣＣＨ−ＲＮＴＩ及びＤＣＩフォーマット３／３Ａで各々のＴＰＣ命令に対する２つの位置でＵＥ１１６を構成する（図１２の１２３０）。ＰＣｅｌｌに対するＴＰＣ−ＰＵＣＣＨ−ＲＮＴＩでスクランブルされたＣＲＣを有するＤＣＩフォーマット３／３Ａを検出すると、ＵＥ１１６は、ＰＣｅｌｌに対するＰＵＣＣＨ伝送のための第１位置でＴＰＣ命令を適用し、ＰＳＣｅｌｌに対するＰＵＣＣＨ伝送のための第２位置でＴＰＣ命令を適用する（図１２の１２３５）。
【実施例３】
【０１３３】
実施例３：伝送電力制限によるＵＣＩの損失最小化
第３実施例で、ＵＥは、後述の条件によってＰＣｅｌｌ又はＰＳＣｅｌｌに１つのＰＵＣＣＨ又は１つのＰＵＳＣＨで全てのＵＣＩを伝送できる。１つのＰＵＣＣＨ又は１つのＰＵＳＣＨで全てのＵＣＩを伝送するＵＥの長所は、ＵＥがＵＣＩを伝達する複数のチャネルの同時伝送を防止し、これがＵＥ電力制限の発生及びスペクトル放出を減少させることができる点にある。また、特に、ＭＣＧセル及びＳＣＧセルが同じ場所に配置されない場合にはより良いチャネル条件を有するＰＵＣＣＨ又はＰＵＳＣＨが選択されることができ、ＭＣＧセルに対する伝送はＳＣＧセルに対する伝送と互いに異なる経路損失を経験することができる。
【０１３４】
ＰＵＣＣＨでのＨＡＲＱ−ＡＣＫ伝送のために、ＵＥ１１６がＭＣＧの各々のセルでのみ１つ以上のＰＤＳＣＨを受信する場合、ＵＥ１１６は、ＰＣｅｌｌにＰＵＣＣＨでのみＨＡＲＱ−ＡＣＫを伝送し、ＵＥ１１６がＳＣＧの各々のセルでのみ１つ以上のＰＤＳＣＨを受信すると、ＵＥ１１６は、ＰＳＣｅｌｌにＰＵＣＣＨでのみＨＡＲＱ−ＡＣＫを伝送する。ＵＥ１１６がＭＣＧセルでのみＰＤＳＣＨを受信する場合にＰＣｅｌｌにＨＡＲＱ−ＡＣＫを伝送するステップは、ＳＣＧセルに対する接続が損失される場合に移動性サポートを提供するステップで利益になることができる。ＵＥ１１６が少なくても１つのＳＣＧセルでＰＤＳＣＨを受信する場合にＰＳＣｅｌｌにＨＡＲＱ−ＡＣＫを伝送するステップは、例えば、ＭＣＧがマクロセルを含みＳＣＧが小型セルを含む場合、ＨＡＲＱ−ＡＣＫ伝送に対するより良いリンク品質及び負荷均衡を提供するステップで利益になることができる。ＵＥ１１６がＭＣＧの各々のセルで１つ以上のＰＤＳＣＨを受信し、ＳＣＧの各々のセルで１つ以上のＰＤＳＣＨも受信する場合、ＵＥ１１６は、ＰＵＣＣＨの容量がＳＣＧセル及びＭＣＧセルに対するＨＡＲＱ−ＡＣＫビットの総数より大きい又は同じ場合、例えば、ＰＳＣｅｌｌに対するＰＵＣＣＨと同じ１つのＰＵＣＣＨでＨＡＲＱ−ＡＣＫを伝送できる。
【０１３５】
具体的には、ＵＥ１１６がＭＣＧセルでの１つ以上のＰＤＳＣＨ伝送に応じて複数のＭ１  ＨＡＲＱ−ＡＣＫビットを、ＳＣＧセルでの１つ以上のＰＤＳＣＨ伝送に応じて複数のＭ２  ＨＡＲＱ−ＡＣＫビットを伝送し、ＵＥ１１６がＮビットの容量を有するＰＵＣＣＨフォーマットをＨＡＲＱ−ＡＣＫ伝送のために使用する場合、ＵＥ１１６は
【数１１７】
0006579521.tif 000118
の場合、ＳＦで同じＰＵＣＣＨで全てのＨＡＲＱ−ＡＣＫビットをマルチプレキシングできる。例えば、ＭＣＧセルに対するＭ１  ＨＡＲＱ−ＡＣＫビットは、ＳＣＧセルに対するＭ２  ＨＡＲＱ−ＡＣＫの次に配置されることができる（ＨＡＲＱ−ＡＣＫビットの予め決定されたインターリービングは初期配置の後にも発生する場合がある）。ＵＥ１１６がＳＦでＳＲ伝送のために構成される場合、以前の条件は
【数１１８】
0006579521.tif 000119
となり、ここで、例えば、１つのＳＲビットは最後に配置されることができる。ＵＥ１１６がＳＦでＳＣＧセルに対するＰビットのＰ−ＣＳＩ伝送（及び、或いはＳＲ伝送）のために構成される場合、ＰＵＣＣＨでのＰ−ＣＳＩビット及びＭＣＧセル及びＳＣＧセルでのＰＤＳＣＨ伝送のためのＨＡＲＱ−ＡＣＫビットをマルチプレキシングするための条件は、
【数１１９】
0006579521.tif 000120
（又は、ＳＲがＳＦでも伝送されることができる場合は、
【数１２０】
0006579521.tif 000121
）である。例えば、ＰＣｅｌｌに対するＭ１  ＨＡＲＱ−ＡＣＫビットはＭ２  ＨＡＲＱ−ＡＣＫビット及びＳＣＧセルに対するＰＰ−ＣＳＩビットの次に配置されることができる。ＨＡＲＱ−ＡＣＫビットに対するものと同じ機能がＰ＝ＣＳＩに対して拡張されることができ、１つ以上のＭＣＧセル及び１つ以上のＳＣＧセルに対するＰ−ＣＳＩビットは、各々のＰＵＣＣＨフォーマットが十分なマルチプレキシング容量を有する場合に同じＰＵＣＣＨでマルチプレキシングされることができる。
【０１３６】
図１３は、本開示による、ＨＡＲＱ−ＡＣＫ情報が単にＭＣＧセルでのＰＤＳＣＨ伝送に応答するか、ＭＣＧセルとＳＣＧセルの両方でのＰＤＳＣＨ伝送又は単にＳＣＧセルでのＰＤＳＣＨ伝送に応答するかによってＨＡＲＱ−ＡＣＫ情報を有するＰＵＣＣＨを伝送するセルのＵＥによる選択を図示する。
【０１３７】
ＵＥ１１６は、各々のセルで伝送された複数のＰＤＳＣＨを受信する。複数のＰＤＳＣＨ受信に応じて、ＵＥ１１６は、同じＳＦで関連ＨＡＲＱ−ＡＣＫ情報を伝送する（図１３の１３１０）。ＵＥ１１６は、全てのセルがＭＣＧに属しているか否かを検査する（図１３の１３２０）。全てのセルがＭＣＧに属する場合、ＵＥ１１６は、ＰＣｅｌｌにＰＵＣＣＨでＨＡＲＱ−ＡＣＫ情報を伝送する（図１３の１３３０）。少なくとも１つのセルがＳＣＧに属する場合、ＵＥ１１６は、ＰＵＣＣＨマルチプレキシング容量がＭＣＧセル及びＳＣＧセルでＰＤＳＣＨ伝送に対応するＨＡＲＱ−ＡＣＫ情報に対して十分な場合、ＰＳＣｅｌｌにＰＵＣＣＨでＨＡＲＱ−ＡＣＫ情報を伝送する（図１３の１３４０）。少なくとも１つのセルはＭＣＧに属して少なくとも１つのセルはＳＣＧに属し、ＰＣｅｌｌでのＰＵＣＣＨマルチプレキシング容量及びＰＳＣｅｌｌでのＰＵＣＣＨマルチプレキシング容量がいずれも該当ＨＡＲＱ−ＡＣＫビットをマルチプレキシングするに十分でない場合、ＵＥ１１６は、ＰＣｅｌｌにＰＵＣＣＨでＭＣＧセルに対するＨＡＲＱ−ＡＣＫビットを伝送し、ＰＳＣｅｌｌにＰＵＣＣＨでＳＣＧセルに対するＨＡＲＱ−ＡＣＫビットを伝送する。
【０１３８】
ｅＮＢ１０２がＳＣＧのような第１セルグループのセルの同じＰＵＣＣＨで１つ以上のＳＣＧセルに対して及び１つ以上のＭＣＧセルに対してＨＡＲＱ−ＡＣＫのようなＵＣＩ類型を伝送し、ＭＣＧのような第２セルグループのセルに同じＳＦでＰＵＳＣＨを伝送するようにＵＥ１１６を構成する場合、ＨＡＲＱ−ＡＣＫ伝送に対して２つの代案が考慮される。
【０１３９】
第１代案で、ＵＥ１１６は、それぞれＰＵＳＣＨでＳＣＧ又はＭＣＧの１つ以上のセルに対するＨＡＲＱ−ＡＣＫをマルチプレキシングし、ＰＵＣＣＨでＭＣＧ又はＳＣＧの１つ以上のセルに対するＵＣＩをマルチプレキシングする。したがって、例えば、ＵＥ１１６が少なくても１つのＳＣＧセルに対するＵＣＩを伝送する場合、ＵＥ１１６は、ＰＳＣｅｌｌに同じＰＵＣＣＨでＳＣＧ及びＭＣＧの全ての該当セルに対するＨＡＲＱ−ＡＣＫのようなＵＣＩを伝送するが、ＵＥ１１６がＭＣＧセルにＰＵＳＣＨを伝送する場合、ＵＥ１１６は、ＰＵＳＣＨでＭＣＧセルに対するＵＣＩをマルチプレキシングする。ＰＵＳＣＨ伝送がＵＥ１１６によって検出されたＤＣＩフォーマットに応答する場合、ＤＣＩフォーマットでのＤＡＩフィールドはＵＥ１１６がＰＵＳＣＨを伝送するセルを含むセルグループのセルに対してのみ解釈される。
【０１４０】
第２代案で、ＵＥ１１６は、ＰＵＳＣＨで全てのＵＣＩをマルチプレキシングし、ＰＵＣＣＨを伝送しない。このような方式で、全てのセルはＭＣＧとＳＣＧに分割される代わりに共通セルグループに属すると見なされる。したがって、ＰＵＣＣＨでのＵＣＩ伝送がＳＣＧの１つ以上のセルに対するＰＳＣｅｌｌ又はＭＣＧの１つ以上のセルに対するＰＣｅｌｌに対するものであり得る場合にも、ＵＣＩマルチプレキシングは、ＳＣＧのセル又はＭＣＧのセルに伝送された同じＰＵＳＣＨでのものであり得る。これは複数のＰＵＣＣＨ又はＰＵＳＣＨを伝送する場合、ＵＥ１１６の電力が制限される場合にＵＥ１１６が一部のＵＣＩ伝送を中断することを防止することに役立つ。
【０１４１】
ＵＥ１１６がＤＣＩフォーマット検出に応じてＵＥ１１６が伝送するＰＵＳＣＨでＨＡＲＱ−ＡＣＫをマルチプレキシングする場合、ＵＥ１１６は、ＵＥ１１６がＰＵＳＣＨを伝送するセルを含むセルグループの全てのセルに対してではなく、ＳＣＧ及びＭＣＧの全てのセルに対してＤＣＩフォーマットのＤＡＩフィールドを解釈する。ＵＥ１１６が１つ以上のＳＣＧセルに及び１つ以上のＭＣＧセルにＰＵＳＣＨを伝送する場合、ＨＡＲＱ−ＡＣＫは最も低いインデックスを有するＳＣＧセル又は（ＭＣＧセル及びＳＣＧセルの全体にわたって）最も低いグローバルインデックスを有するセルでマルチプレキシングされることができる。例えば、ＭＣＧセル及びＳＣＧセルはＰＣｅｌｌ及びＭＣＧセルから始まって連続的にインデックスが作られることができる。ＳＣＧセルを選択する理由は、例えば、ＭＣＧセル及びＳＣＧセルが同じ位置に配置されない場合、ＵＥ１１６は、ＭＣＧへの伝送のための経路損失より小さいＳＣＧへの伝送のための経路損失のようなより良いチャネル条件を有することができるからである。
【０１４２】
図１４は、本開示によるＰＵＣＣＨ又はＰＵＳＣＨでのＨＡＲＱ−ＡＣＫ情報のマルチプレキシングを図示する。
【０１４３】
ＵＥ１１６は、各々のセルで複数のＰＤＳＣＨを受信する。受信されたＰＤＳＣＨの数に応じて、ＵＥ１１６は、ＳＦでＨＡＲＱ−ＡＣＫ情報を伝送する（図１４の１４１０）。ＵＥ１１６がＳＦでＰＵＳＣＨを伝送しない場合（図１４の１４２０）、ＵＥ１１６は、少なくとも１つのＰＤＳＣＨがＳＣＧのセルで受信されるか否かを判断する（図１４の１４３０）。少なくとも１つのＰＤＳＣＨがＳＣＧのセルで受信される場合、ＵＥ１１６は、ＰＳＣｅｌｌに伝送されたＰＵＣＣＨでＨＡＲＱ−ＡＣＫ情報をマルチプレキシングするか、又は、ＵＥ１１６は、ＰＳＣｅｌｌに伝送されたＰＵＣＣＨ及びＰＣｅｌｌに伝送されたＰＵＣＣＨでＭＣＧセル及びＳＣＧセルで受信されたＰＤＳＣＨに対するＨＡＲＱ−ＡＣＫ情報をそれぞれマルチプレキシングする（図１４の１４４０）。ＵＥ１１６がＳＣＧのセルでどのＰＤＳＣＨも受信しない場合、ＵＥ１１６は、ＰＣｅｌｌに伝送されたＰＵＣＣＨでＨＡＲＱ−ＡＣＫ情報をマルチプレキシングする（図１４の１４５０）。ＵＥがＳＦで１つ以上のＰＵＳＣＨを伝送する場合、ＵＥ１１６は、１つ以上のＰＵＳＣＨからのＰＵＳＣＨでＨＡＲＱ−ＡＣＫ情報をマルチプレキシングする（図１４の１４６０）。ＨＡＲＱ−ＡＣＫ情報を伝達するＰＵＳＣＨは、最も低いインデックスを有するＳＣＧセルに伝送されたＰＵＳＣＨの場合もあり、ＳＣＧセルとＭＣＧセルのうち最も低いインデックスを有するセルに伝送されたＰＵＳＣＨの場合もある。
【０１４４】
ＴＤＤがＰＳＣｅｌｌに使用されＦＤＤがＰＣｅｌｌに使用される場合、ＰＳＣｅｌｌのＰＵＣＣＨでのＭＣＧセルに対するＵＣＩマルチプレキシングは、ＰＳＣｅｌｌでのＰＵＣＣＨ伝送のために使用されたＵＬ／ＤＬ構成のＵＬ  ＳＦでのみあり得る。この時、ＵＣＩシグナリング、及び特にＨＡＲＱ−ＡＣＫシグナリングに対して、ＰＳＣｅｌｌ及びＰＣｅｌｌの役割はＰＳＣｅｌｌがＰＣｅｌｌになるように反転されることができ、ＵＣＩ伝送は単にＰＣｅｌｌに対するＰＵＣＣＨ伝送、及びＦＤＤ  ＳＣｅｌｌ及びＴＤＤ  ＰＣｅｌｌの場合に対してＲＥＦ３の記述と同じ場合がある。１つの例外は、ＵＥ１１６が単に１つ以上のＭＣＧセルに対するＨＡＲＱ−ＡＣＫを伝送する場合に発生する場合があり、この場合、ＵＥ１１６は、ＭＣＧのＰＣｅｌｌにＰＵＣＣＨを使用することができる。
【０１４５】
ＳＣＧセルでのＰＤＳＣＨ伝送がＭＣＧセルでのＰＤＣＣＨで伝送されたＤＣＩフォーマットによってスケジューリングされるクロスキャリアスケジューリングに対して、ＳＣＧのＰＳＣｅｌｌに対するＨＡＲＱ−ＡＣＫ伝送のための各々のＰＵＣＣＨリソースは、ＲＲＣシグナリングのような上位層シグナリングを介してｅＮＢ１０２によってＵＥ１１６に構成される。これは、ＲＥＦ３に記述されたように、ＤＣＩフォーマットを伝達するＰＤＣＣＨの最も低いＣＣＥインデックスに基づいたＰＵＣＣＨリソースに対する従来の決定がＰＵＣＣＨリソース衝突につながる場合があるからである。例えば、ＭＣＧは、ＰＣｅｌｌで構成されており、ＳＣＧはＰＳＣｅｌｌで構成されており、ＰＳＣｅｌｌでのＰＤＳＣＨ伝送はＰＣｅｌｌで伝送されたＰＤＣＣＨによって伝達されたＤＣＩフォーマットによってスケジューリングされる場合、各々のＨＡＲＱ−ＡＣＫ情報を伝送するためのＰＵＣＣＨリソースは伝送がＰＣｅｌｌで行われる場合にはＰＵＣＣＨの最も低いＣＣＥインデックスから決定されるが、伝送がＰＳＣｅｌｌで行われる場合には上位層によって構成される。
【０１４６】
ＵＥ１１６がＰＵＣＣＨフォーマット３を使用してＰＳＣｅｌｌにＨＡＲＱ−ＡＣＫ情報を伝送する場合（ＲＥＦ１参照）及びＦＤＤシステムの場合、ＰＳＣｅｌｌでのＰＤＳＣＨ伝送をスケジューリングするＤＣＩフォーマットでのＴＰＣフィールドはＰＵＣＣＨ伝送のためにＵＥ１１６にＴＰＣ命令を提供でき、ＰＳＣｅｌｌ以外の全てのＳＣＧセルでＰＤＳＣＨ受信をスケジューリングするＤＣＩフォーマットでのＴＰＣフィールドは上位層シグナリングによってｅＮＢ１０２からＰＳＣｅｌｌでＵＥ１１６に構成されたＰＵＣＣＨリソースの集合からのＰＵＣＣＨリソースの表示をＵＥ１１６に提供できる。同様に、ＵＥ１１６がＰＵＣＣＨフォーマット３を使用してＰＣｅｌｌにＨＡＲＱ−ＡＣＫ情報を伝送する場合及びＦＤＤシステムの場合、ＰＣｅｌｌでのＰＤＳＣＨ伝送をスケジューリングするＤＣＩフォーマットでのＴＰＣフィールドは、ＰＵＣＣＨ伝送のためにＵＥ１１６にＴＰＣ命令を提供でき、ＰＣｅｌｌ以外の全てのＭＣＧセルでＰＤＳＣＨ受信をスケジューリングするＤＣＩフォーマットでのＴＰＣフィールドは、上位層シグナリングによってｅＮＢ１０２からＵＥ１１６に構成されたＰＣｅｌｌでＰＵＣＣＨリソースの集合からのＰＵＣＣＨリソースの表示をＵＥ１１６に提供できる。
【０１４７】
ＵＥ１１６がＰＵＣＣＨフォーマット３を使用してＰＳＣｅｌｌにＨＡＲＱ−ＡＣＫ情報を伝送する場合及びＴＤＤシステムの場合、ＰＳＣｅｌｌでのＰＤＳＣＨ伝送をスケジューリングし、１の値を有するＤＡＩフィールドを有するＤＣＩフォーマットでのＴＰＣフィールドは、ＰＵＣＣＨ伝送のためにＵＥ１１６にＴＰＣ命令を提供できる。ＰＳＣｅｌｌ以外の全てのＳＣＧセルでのＰＤＳＣＨ伝送をスケジューリングする全ての他のＤＣＩフォーマットでのＴＰＣフィールドは、上位層シグナリングによってＵＥ１１６に対してｅＮＢ１０２から構成されたＰＵＣＣＨリソースの集合からのＰＵＣＣＨリソースの表示をＵＥ１１６に提供できる。同様に、ＵＥ１１６がＰＵＣＣＨフォーマット３を使用してＰＣｅｌｌにＨＡＲＱ−ＡＣＫ情報を伝送する場合及びＴＤＤシステムの場合、ＰＣｅｌｌでのＰＤＳＣＨ伝送をスケジューリングし、１の値を有するＤＡＩフィールドを有するＤＣＩフォーマットでのＴＰＣフィールドは、ＰＵＣＣＨ伝送のためにＵＥ１１６にＴＰＣ命令を提供できる。ＰＣｅｌｌ以外の全てのＭＣＧセルでのＰＤＳＣＨ伝送をスケジューリングする全ての他のＤＣＩフォーマットでのＴＰＣフィールドは、上位層シグナリングによってＵＥ１１６に対してｅＮＢ１０２から構成されたＰＵＣＣＨリソースの集合からのＰＵＣＣＨリソースの表示をＵＥ１１６に提供できる。
【０１４８】
例示的な実施例で本開示を説明したが、多様な変更例及び修正例が当業者に提案されることができる。本開示は、添付された請求範囲内に属するこのような変更例及び修正例を含むように意図される。
【符号の説明】
【０１４９】
１００  無線ネットワーク
１２０  カバレッジ領域
１２５  カバレッジ領域
１３０  ＩＰネットワーク
２０５  アンテナ
２１０  送受信機
２１５  送信処理回路
２２０  マイクロホン
２２５  受信処理回路
２３０  スピーカ
２４０  メインプロセッサ
２４５  インタフェース
２５０  キーパッド
２５５  ディスプレイ
２６０  メモリ
２６１  プログラム
２６２  アプリケーション
３０５  アンテナ
３１０  送受信機
３１５  送信処理回路
３２０  受信処理回路
３２５  プロセッサ
３３０  メモリ
３３５  インタフェース
【図１】
0006579521.tif 000122
【図２】
0006579521.tif 000123
【図３】
0006579521.tif 000124
【図４】
0006579521.tif 000125
【図５】
0006579521.tif 000126
【図６】
0006579521.tif 000127
【図７】
0006579521.tif 000128
【図８】
0006579521.tif 000129
【図９】
0006579521.tif 000130
【図１０】
0006579521.tif 000131
【図１１】
0006579521.tif 000132
【図１２】
0006579521.tif 000133
【図１３】
0006579521.tif 000134
【図１４】
0006579521.tif 000135